(57)【要約】  本開示は、ＵＥの位置エリアの更新方法、アクセスネットワークエンティティ、ＵＥおよびコアネットワークエンティティを提供する。当該方法において、アクセスネットワークエンティティが、ＵＥから送信される位置エリア更新要求メッセージを受信することと、アクセスネットワークエンティティが、位置エリア更新メッセージをＵＥに送信することとを含む。前記位置エリア更新メッセージは、少なくとも目標アクセスネットワーク通知エリアＲＮＡ情報を含む。目標ＲＮＡ情報は、アクセスネットワークエンティティが位置エリア更新要求メッセージに応じて更新したＵＥのＲＮＡ情報である。【選択図】  図２
2019537356.tif 000002
【特許請求の範囲】
【請求項１】
ユーザ端末ＵＥの位置エリアの更新方法において、
アクセスネットワークエンティティが、ＵＥから送信される位置エリア更新要求メッセージを受信することと、
前記アクセスネットワークエンティティが、位置エリア更新メッセージを前記ＵＥに送信することとを含み、
ここで、前記位置エリア更新メッセージは、少なくとも、前記アクセスネットワークエンティティが前記位置エリア更新要求メッセージに応じて更新した前記ＵＥのＲＮＡ情報である目標アクセスネットワーク通知エリアＲＮＡ情報を含むユーザ端末ＵＥの位置エリアの更新方法。
【請求項２】
前記アクセスネットワークエンティティが、前記位置エリア更新要求メッセージに基づいて、前記ＵＥのトラッキングエリア識別子リストＴＡＩ  ｌｉｓｔの更新が必要であるかを判断することをさらに含み、
前記アクセスネットワークエンティティが、位置エリア更新メッセージを前記ＵＥに送信することは、
前記ＵＥのＴＡＩ  ｌｉｓｔの更新が必要でなければ、前記アクセスネットワークエンティティが、前記位置エリア更新要求メッセージに基づいて、前記ＵＥのＲＮＡ情報を更新して目標ＲＮＡ情報を得ることと、
前記アクセスネットワークエンティティが、前記目標ＲＮＡ情報を含む位置エリア更新メッセージを前記ＵＥに送信することとを含む請求項１に記載の方法。
【請求項３】
前記アクセスネットワークエンティティが、前記位置エリア更新要求メッセージに基づいて、前記ＵＥのＴＡＩ  ｌｉｓｔの更新が必要であるかを判断することをさらに含み、
前記アクセスネットワークエンティティが、位置エリア更新メッセージを前記ＵＥに送信することは、
前記ＵＥのＴＡＩ  ｌｉｓｔの更新が必要であれば、前記アクセスネットワークエンティティが、前記位置エリア更新要求メッセージに基づいて、トラッキングエリア更新ＴＡＵ要求をコアネットワークエンティティに送信することと、
前記アクセスネットワークエンティティが、前記コアネットワークエンティティにより前記ＴＡＵ要求に応じて更新した前記ＵＥのＴＡＩ  ｌｉｓｔである目標ＴＡＩ  ｌｉｓｔを前記コアネットワークエンティティから受信することと、
前記アクセスネットワークエンティティが、前記目標ＲＮＡ情報および前記目標ＴＡＩ  ｌｉｓｔを含む位置エリア更新メッセージを前記ＵＥに送信することとを含む請求項１に記載の方法。
【請求項４】
前記位置エリア更新要求メッセージにはＲＮＡ更新要求が付帯され、
前記アクセスネットワークエンティティが、前記位置エリア更新要求メッセージに基づいて、前記ＵＥのＴＡＩ  ｌｉｓｔの更新が必要であるかを判断することは、
前記アクセスネットワークエンティティが、前記ＲＮＡ更新要求の中の目標セルを取得することと、
前記アクセスネットワークエンティティが、前記目標セルに対応する識別子が事前に取得した前記ＵＥのＴＡＩ  ｌｉｓｔに含まれるかを判断することと、
前記目標セルに対応する識別子が前記ＴＡＩ  ｌｉｓｔに含まれるのであれば、前記アクセスネットワークエンティティが、前記ＵＥのＴＡＩ  ｌｉｓｔの更新が必要ではないと特定することと、
前記目標セルに対応する識別子が前記ＴＡＩ  ｌｉｓｔに含まれないのであれば、前記アクセスネットワークエンティティが、前記ＵＥのＴＡＩ  ｌｉｓｔの更新が必要であると特定することとを含む請求項２または３に記載の方法。
【請求項５】
前記ＲＮＡ更新要求の無線リソース制御ＲＲＣメッセージは、ＲＮＡ更新要求が付帯される前記位置エリア更新要求メッセージにカプセル化される請求項４に記載の方法。
【請求項６】
前記位置エリア更新要求メッセージにはＲＮＡ更新要求およびトラッキングエリア更新ＴＡＵ要求が付帯され、
前記アクセスネットワークエンティティが、前記位置エリア更新要求メッセージから前記ＴＡＵ要求を分離し、前記ＴＡＵ要求をコアネットワークエンティティに送信することと、
前記アクセスネットワークエンティティが、前記コアネットワークエンティティにより更新された前記ＵＥのＴＡＩ  ｌｉｓｔである目標ＴＡＩ  ｌｉｓｔを前記コアネットワークエンティティから受信することとをさらに含み、
前記アクセスネットワークエンティティが、位置エリア更新メッセージを前記ＵＥに送信することは、
前記アクセスネットワークエンティティが、前記目標ＲＮＡ情報および前記目標ＴＡＩ  ｌｉｓｔが含まれる位置エリア更新メッセージを前記ＵＥに送信することを含む請求項１に記載の方法。
【請求項７】
前記ＲＮＡ更新要求のＲＲＣメッセージおよび前記ＴＡＵ要求の非アクセス層ＮＡＳメッセージは、前記位置エリア更新要求メッセージにカプセル化され、
前記アクセスネットワークエンティティが、前記位置エリア更新要求メッセージから前記ＴＡＵ要求を分離し、前記ＴＡＵ要求をコアネットワークエンティティに送信することは、
前記アクセスネットワークエンティティが、前記位置エリア更新要求メッセージから前記ＴＡＵ要求が付帯されるＮＡＳメッセージを分離し、前記ＮＡＳメッセージを前記コアネットワークエンティティに転送することを含み、
前記アクセスネットワークエンティティが、目標ＴＡＩ  ｌｉｓｔを前記コアネットワークエンティティから受信することは、
前記アクセスネットワークエンティティが、目標ＴＡＩ  ｌｉｓｔが付帯されるＮＡＳメッセージを前記コアネットワークエンティティから受信することを含み、
前記アクセスネットワークエンティティが、目標ＲＮＡ情報および目標ＴＡＩ  ｌｉｓｔが含まれる位置エリア更新メッセージを前記ＵＥに送信することは、
前記アクセスネットワークエンティティが、前記目標ＲＮＡ情報が付帯されるＲＲＣメッセージおよび前記目標ＴＡＩ  ｌｉｓｔが付帯されるＮＡＳメッセージを前記ＵＥに送信することを含む請求項６に記載の方法。
【請求項８】
前記ＲＮＡ更新要求のＲＲＣメッセージおよび前記ＴＡＵ要求のＲＲＣメッセージは、前記位置エリア更新要求メッセージにカプセル化され、
前記アクセスネットワークエンティティが、前記位置エリア更新要求メッセージから前記ＴＡＵ要求を分離し、前記ＴＡＵ要求をコアネットワークエンティティに送信することは、
前記アクセスネットワークエンティティが、前記ＴＡＵ要求のＲＲＣメッセージを解析し、前記ＴＡＵ要求が付帯される制御プレーンメッセージまたはユーザプレーンメッセージをコアネットワークエンティティに送信することを含み、
前記アクセスネットワークエンティティが、目標ＴＡＩ  ｌｉｓｔを前記コアネットワークエンティティから受信することは、
前記アクセスネットワークエンティティが、目標ＴＡＩ  ｌｉｓｔが付帯される制御プレーンメッセージまたはユーザプレーンメッセージを前記コアネットワークエンティティから受信することを含み、
前記アクセスネットワークエンティティが、目標ＲＮＡ情報および目標ＴＡＩ  ｌｉｓｔが含まれる位置エリア更新メッセージを前記ＵＥに送信することは、
前記アクセスネットワークエンティティが、目標ＲＮＡ情報が付帯されるＲＲＣメッセージおよび前記目標ＴＡＩ  ｌｉｓｔが付帯されるＲＲＣメッセージを前記ＵＥに送信することを含む請求項６に記載の方法。
【請求項９】
前記アクセスネットワークエンティティが、前記目標ＴＡＩ  ｌｉｓｔに基づいて、前記ＵＥのＲＮＡを更新して目標ＲＮＡ情報を得ることをさらに含み、
ここで、前記目標ＴＡＩ  ｌｉｓｔは、前記目標ＲＮＡ情報の中のすべてのセルに対応する識別子を含み、および／または、前記目標ＲＮＡ情報は、前記目標ＴＡＩ  ｌｉｓｔの中のすべての識別子に対応するセルを含む請求項３または６に記載の方法。
【請求項１０】
ユーザ端末ＵＥの位置エリアの更新方法において、
ＵＥからアクセスネットワークエンティティに位置エリア更新要求メッセージを送信することと、
前記ＵＥが、前記アクセスネットワークエンティティから送信される位置エリア更新メッセージを受信することとを含み、
ここで、前記位置エリア更新メッセージは、少なくとも、前記アクセスネットワークエンティティが前記位置エリア更新要求メッセージに応じて更新した前記ＵＥのＲＮＡ情報である目標アクセスネットワーク通知エリアＲＮＡ情報を含むユーザ端末ＵＥの位置エリアの更新方法。
【請求項１１】
前記位置エリア更新要求メッセージにはアクセスネットワーク通知エリアＲＮＡ更新要求が付帯され、
前記位置エリア更新メッセージには前記目標ＲＮＡ情報が付帯され、
または、前記位置エリア更新メッセージには、前記目標ＲＮＡ情報、および、コアネットワークエンティティにより更新された前記ＵＥのＴＡＩ  ｌｉｓｔである目標ＴＡＩ  ｌｉｓｔが付帯される請求項１０に記載の方法。
【請求項１２】
前記ＵＥが、前記ＵＥの現在の状態を取得することと、
前記ＵＥが現在インアクティブ状態であれば、前記ＵＥが、トラッキングエリア更新ＴＡＵ要求をトリガーせず、ＲＮＡ更新要求が付帯される位置エリア更新要求メッセージをアクセスネットワークエンティティに送信することとをさらに含む請求項１１に記載の方法。
【請求項１３】
前記ＲＮＡ更新要求の無線リソース制御ＲＲＣメッセージは、前記位置エリア更新要求メッセージにカプセル化され、前記目標ＲＮＡ情報のＲＲＣメッセージは、前記位置エリア更新メッセージにカプセル化され、または、前記目標ＲＮＡ情報のＲＲＣメッセージおよび前記目標ＴＡＩ  ｌｉｓｔのＲＲＣメッセージは、前記位置エリア更新メッセージにカプセル化される請求項１１または１２に記載の方法。
【請求項１４】
前記位置エリア更新要求メッセージにはＲＮＡ更新要求およびトラッキング更新ＴＡＵ要求が付帯され、
前記位置エリア更新メッセージには、前記目標ＲＮＡ情報、および、コアネットワークエンティティにより更新された前記ＵＥのＴＡＩ  ｌｉｓｔである目標ＴＡＩ  ｌｉｓｔが付帯される請求項１０に記載の方法。
【請求項１５】
前記ＲＮＡ更新要求のＲＲＣメッセージおよび前記ＴＡＵ要求のＲＲＣメッセージは、前記位置エリア更新要求メッセージにカプセル化され、
前記目標ＲＮＡ情報のＲＲＣメッセージおよび前記目標ＴＡＩ  ｌｉｓｔのＲＲＣメッセージは、前記位置エリア更新メッセージにカプセル化される請求項１４に記載の方法。
【請求項１６】
前記ＲＮＡ更新要求のＲＲＣメッセージおよび前記ＴＡＵ要求の非アクセス層ＮＡＳメッセージは、前記位置エリア更新要求メッセージにカプセル化され、
前記目標ＲＮＡ情報のＲＲＣメッセージおよび前記目標ＴＡＩ  ｌｉｓｔのＮＡＳメッセージは、前記位置エリア更新メッセージにカプセル化される請求項１４に記載の方法。
【請求項１７】
ユーザ端末ＵＥの位置エリアの更新方法において、
コアネットワークエンティティが、ＵＥのＵＥ識別子が付帯されるトラッキングエリア更新ＴＡＵ要求をアクセスネットワークエンティティから受信することと、
前記コアネットワークエンティティが、前記ＴＡＵ要求に応じて、前記ＵＥのトラッキングエリア識別子リストＴＡＩ  ｌｉｓｔを更新して目標ＴＡＩ  ｌｉｓｔを得ることと、
前記コアネットワークエンティティが、前記目標ＴＡＩ  ｌｉｓｔを前記アクセスネットワークエンティティに送信することとを含むユーザ端末ＵＥの位置エリアの更新方法。
【請求項１８】
前記コアネットワークエンティティが、前記ＴＡＵ要求が付帯される制御プレーンメッセージまたはユーザプレーンメッセージを前記アクセスネットワークエンティティから受信し、
前記コアネットワークエンティティが、前記目標ＴＡＩ  ｌｉｓｔが付帯される制御プレーンメッセージまたはユーザプレーンメッセージを前記アクセスネットワークエンティティに送信する請求項１７に記載の方法。
【請求項１９】
前記コアネットワークエンティティが、前記ＴＡＵ要求が付帯される非アクセス層ＮＡＳメッセージを前記アクセスネットワークエンティティから受信し、
前記コアネットワークエンティティが、前記目標ＴＡＩ  ｌｉｓｔが付帯されるＮＡＳメッセージを前記アクセスネットワークエンティティに送信する請求項１７に記載の方法。
【請求項２０】
アクセスネットワークエンティティであって、
ＵＥから送信される位置エリア更新要求メッセージを受信することに用いられる受信モジュールと、
位置エリア更新メッセージを前記ＵＥに送信することに用いられる送信モジュールとを含み、
ここで、前記位置エリア更新メッセージは、少なくとも、前記アクセスネットワークエンティティが前記位置エリア更新要求メッセージに応じて更新した前記ＵＥのＲＮＡ情報である目標アクセスネットワーク通知エリアＲＮＡ情報を含むアクセスネットワークエンティティ。
【請求項２１】
前記位置エリア更新要求メッセージに基づいて、前記ＵＥのトラッキングエリア識別子リストＴＡＩ  ｌｉｓｔの更新が必要であるかを判断することに用いられる判断モジュールをさらに含み、
前記送信モジュールは、
前記ＵＥのＴＡＩ  ｌｉｓｔの更新が必要でなければ、前記アクセスネットワークエンティティが前記位置エリア更新要求メッセージに基づいて前記ＵＥのＲＮＡ情報を更新して目標ＲＮＡ情報を得ることに用いられる第１更新ユニットと、
前記目標ＲＮＡ情報を含む位置エリア更新メッセージを前記ＵＥに送信することに用いられる第１送信ユニットとを含む請求項２０に記載のアクセスネットワークエンティティ。
【請求項２２】
前記位置エリア更新要求メッセージに基づいて、前記ＵＥのＴＡＩ  ｌｉｓｔの更新が必要であるかを判断することに用いられる判断モジュールをさらに含み、
前記送信モジュールは、
前記ＵＥのＴＡＩ  ｌｉｓｔの更新が必要であれば、前記位置エリア更新要求メッセージに基づいて、トラッキングエリア更新ＴＡＵ要求をコアネットワークエンティティに送信することに用いられる第２送信ユニットと、
前記コアネットワークエンティティにより前記ＴＡＵ要求に応じて更新した前記ＵＥのＴＡＩ  ｌｉｓｔである目標ＴＡＩ  ｌｉｓｔを前記コアネットワークエンティティから受信することに用いられる第１受信ユニットと、
前記目標ＲＮＡ情報および前記目標ＴＡＩ  ｌｉｓｔを含む位置エリア更新メッセージを前記ＵＥに送信することに用いられる第３送信ユニットとを含む請求項２０に記載のアクセスネットワークエンティティ。
【請求項２３】
前記位置エリア更新要求メッセージにはＲＮＡ更新要求が付帯され、
前記判断モジュールは、
前記ＲＮＡ更新要求の中の目標セルを取得することに用いられる取得ユニットと、
前記目標セルに対応する識別子が事前に取得した前記ＵＥのＴＡＩ  ｌｉｓｔに含まれるかを判断することに用いられる判断ユニットと、
前記目標セルに対応する識別子が前記ＴＡＩ  ｌｉｓｔに含まれるのであれば、前記ＵＥのＴＡＩ  ｌｉｓｔの更新が必要ではないと特定することに用いられる第１特定ユニットと、
前記目標セルに対応する識別子が前記ＴＡＩ  ｌｉｓｔに含まれないのであれば、前記ＵＥのＴＡＩ  ｌｉｓｔの更新が必要であると特定することに用いられる第２特定ユニットとを含む請求項２１または２２に記載のアクセスネットワークエンティティ。
【請求項２４】
前記ＲＮＡ更新要求の無線リソース制御ＲＲＣメッセージは、ＲＮＡ更新要求が含まれる前記位置エリア更新要求メッセージにカプセル化される請求項２３に記載のアクセスネットワークエンティティ。
【請求項２５】
前記位置エリア更新要求メッセージにはＲＮＡ更新要求およびトラッキングエリア更新ＴＡＵ要求が付帯され、
前記送信モジュールは、
前記位置エリア更新要求メッセージから前記ＴＡＵ要求を分離し、前記ＴＡＵ要求をコアネットワークエンティティに送信することに用いられる第４送信ユニットと、
前記コアネットワークエンティティにより更新された前記ＵＥのＴＡＩ  ｌｉｓｔである目標ＴＡＩ  ｌｉｓｔを前記コアネットワークエンティティから受信することに用いられる第２受信ユニットと、
前記目標ＲＮＡ情報および前記目標ＴＡＩ  ｌｉｓｔが含まれる位置エリア更新メッセージを前記ＵＥに送信することに用いられる第５送信ユニットとを含む請求項２０に記載のアクセスネットワークエンティティ。
【請求項２６】
前記ＲＮＡ更新要求のＲＲＣメッセージおよび前記ＴＡＵ要求の非アクセス層ＮＡＳメッセージは、前記位置エリア更新要求メッセージにカプセル化され、
前記第４送信ユニットは、
前記位置エリア更新要求メッセージから前記ＴＡＵ要求のＮＡＳメッセージを分離し、前記ＮＡＳメッセージを前記コアネットワークエンティティに転送することに用いられ、
前記第２受信ユニットは、
目標ＴＡＩ  ｌｉｓｔが付帯されるＮＡＳメッセージを前記コアネットワークエンティティから受信することに用いられ、
前記第５送信ユニットは、
前記目標ＲＮＡ情報が付帯されるＲＲＣメッセージおよび前記目標ＴＡＩ  ｌｉｓｔが付帯されるＮＡＳメッセージを前記ＵＥに送信することに用いられる請求項２５に記載のアクセスネットワークエンティティ。
【請求項２７】
前記ＲＮＡ更新要求のＲＲＣメッセージおよび前記ＴＡＵ要求のＲＲＣメッセージは、前記位置エリア更新要求メッセージにカプセル化され、
前記第４送信ユニットは、
前記ＴＡＵ要求のＲＲＣメッセージを解析し、前記ＴＡＵ要求が付帯される制御プレーンメッセージまたはユーザプレーンメッセージを前記コアネットワークエンティティに送信することに用いられ、
前記第２受信ユニットは、
前記目標ＴＡＩ  ｌｉｓｔが付帯される制御プレーンメッセージまたはユーザプレーンメッセージを前記コアネットワークエンティティから受信することに用いられ、
前記第５送信ユニットは、
目標ＲＮＡ情報が付帯されるＲＲＣメッセージおよび前記目標ＴＡＩ  ｌｉｓｔが付帯されるＲＲＣメッセージを前記ＵＥに送信することに用いられる請求項２５に記載のアクセスネットワークエンティティ。
【請求項２８】
前記送信モジュールは、
前記目標ＴＡＩ  ｌｉｓｔに基づいて、前記ＵＥのＲＮＡを更新して目標ＲＮＡ情報を得ることに用いられる第２更新ユニットをさらに含み、
ここで、前記目標ＴＡＩ  ｌｉｓｔは、前記目標ＲＮＡ情報の中のすべてのセルに対応する識別子を含み、および／または、前記目標ＲＮＡ情報は、前記目標ＴＡＩ  ｌｉｓｔの中のすべての識別子に対応するセルを含む請求項２２または２５に記載のアクセスネットワークエンティティ。
【請求項２９】
アクセスネットワークエンティティに位置エリア更新要求メッセージを送信することに用いられる送信モジュールと、
前記アクセスネットワークエンティティから送信される位置エリア更新メッセージを受信することに用いられる受信モジュールとを含み、
ここで、前記位置エリア更新メッセージは、少なくとも、前記アクセスネットワークエンティティが前記位置エリア更新要求メッセージに応じて更新した前記ＵＥのＲＮＡ情報である目標アクセスネットワーク通知エリアＲＮＡ情報を含むユーザ端末ＵＥ。
【請求項３０】
前記位置エリア更新要求メッセージにはアクセスネットワーク通知エリアＲＮＡ更新要求が付帯され、
前記位置エリア更新メッセージには前記目標ＲＮＡ情報が付帯され、
または、前記位置エリア更新メッセージには、前記目標ＲＮＡ情報、および、コアネットワークエンティティにより更新された前記ＵＥのＴＡＩ  ｌｉｓｔである目標ＴＡＩ  ｌｉｓｔが付帯される請求項２９に記載のＵＥ。
【請求項３１】
前記ＵＥの現在の状態を取得することに用いられる取得モジュールをさらに含み、
前記送信モジュールは、
前記ＵＥが現在インアクティブ状態であれば、前記ＵＥからトラッキングエリア更新ＴＡＵ要求の送信を禁止し、前記ＲＮＡ更新要求が付帯される位置エリア更新要求メッセージをアクセスネットワークエンティティに送信することに用いられる請求項３０に記載のＵＥ。
【請求項３２】
前記ＲＮＡ更新要求の無線リソース制御ＲＲＣメッセージは、前記位置エリア更新要求メッセージにカプセル化され、前記目標ＲＮＡ情報のＲＲＣメッセージは、前記位置エリア更新メッセージにカプセル化され、または、前記目標ＲＮＡ情報のＲＲＣメッセージおよび前記目標ＴＡＩ  ｌｉｓｔのＲＲＣメッセージは、前記位置エリア更新メッセージにカプセル化される請求項３０または３１に記載のＵＥ。
【請求項３３】
前記位置エリア更新要求メッセージにはＲＮＡ更新要求およびトラッキング更新ＴＡＵ要求が付帯され、
前記位置エリア更新メッセージには、前記目標ＲＮＡ情報、および、コアネットワークエンティティにより更新された前記ＵＥのＴＡＩ  ｌｉｓｔである目標ＴＡＩ  ｌｉｓｔが付帯される請求項２９に記載のＵＥ。
【請求項３４】
前記ＲＮＡ更新要求のＲＲＣメッセージおよび前記ＴＡＵ要求のＲＲＣメッセージは、前記位置エリア更新要求メッセージにカプセル化され、
前記目標ＲＮＡ情報のＲＲＣメッセージおよび前記目標ＴＡＩ  ｌｉｓｔのＲＲＣメッセージは、前記位置エリア更新メッセージにカプセル化される請求項３２または３３に記載のＵＥ。
【請求項３５】
前記ＲＮＡ更新要求のＲＲＣメッセージおよび前記ＴＡＵ要求の非アクセス層ＮＡＳメッセージは、前記位置エリア更新要求メッセージにカプセル化され、
前記目標ＲＮＡ情報のＲＲＣメッセージおよび前記目標ＴＡＩ  ｌｉｓｔのＮＡＳメッセージは、前記位置エリア更新メッセージにカプセル化される請求項３２または３３に記載のＵＥ。
【請求項３６】
ＵＥのＵＥ識別子が付帯されるトラッキングエリア更新ＴＡＵ要求をアクセスネットワークエンティティから受信することに用いられる受信モジュールと、
前記ＴＡＵ要求に応じて、前記ＵＥのトラッキングエリア識別子リストＴＡＩ  ｌｉｓｔを更新して目標ＴＡＩ  ｌｉｓｔを得ることに用いられる更新モジュールと、
前記目標ＴＡＩ  ｌｉｓｔを前記アクセスネットワークエンティティに送信することに用いられる送信モジュールとを含むコアネットワークエンティティ。
【請求項３７】
前記受信モジュールは、
前記ＴＡＵ要求が付帯される制御プレーンメッセージまたはユーザプレーンメッセージを前記アクセスネットワークエンティティから受信することに用いられ、
前記送信モジュールは、
前記目標ＴＡＩ  ｌｉｓｔが付帯される制御プレーンメッセージまたはユーザプレーンメッセージを前記アクセスネットワークエンティティに送信することに用いられる請求項３６に記載のコアネットワークエンティティ。
【請求項３８】
前記受信モジュールは、
前記ＴＡＵ要求が付帯される非アクセス層ＮＡＳメッセージを前記アクセスネットワークエンティティから受信することに用いられ、
前記送信モジュールは、
前記目標ＴＡＩ  ｌｉｓｔが付帯されるＮＡＳメッセージを前記アクセスネットワークエンティティに送信することに用いられる請求項３６に記載のコアネットワークエンティティ。
【請求項３９】
プロセッサと、
前記プロセッサによる制御でデータを送受信することに用いられるトランシーバと、
プログラムとデータを格納することに用いられるメモリと、
前記プロセッサと前記トランシーバと前記メモリを互いに通信させるバスインタフェースとを含むアクセスネットワークエンティティにおいて、
前記プロセッサは、
前記メモリに格納されているプログラムとデータを読み取って請求項１〜９のいずれか一項に記載の方法を実行するように構成されるアクセスネットワークエンティティ。
【請求項４０】
プロセッサと、
前記プロセッサによる制御でデータを送受信することに用いられるトランシーバと、
プログラムとデータを格納することに用いられるメモリと、
前記プロセッサと前記トランシーバと前記メモリを互いに通信させるバスインタフェースとを含むユーザ端末ＵＥにおいて、
前記プロセッサは、
前記メモリに格納されているプログラムとデータを読み取って請求項１０〜１６のいずれか一項に記載の方法を実行するように構成されるユーザ端末。
【請求項４１】
プロセッサと、
前記プロセッサによる制御でデータを送受信することに用いられるトランシーバと、
プログラムとデータを格納することに用いられるメモリと、
前記プロセッサと前記トランシーバと前記メモリを互いに通信させるバスインタフェースとを含むコアネットワークエンティティにおいて、
前記プロセッサは、
前記メモリに格納されているプログラムとデータを読み取って請求項１７〜１９のいずれか一項に記載の方法を実行するように構成されるコアネットワークエンティティ。
【請求項４２】
プロセッサによって実行されると、請求項１〜９のいずれか一項に記載の方法を前記プロセッサに実現させるプログラムとデータが格納される非揮発性記憶媒体。
【請求項４３】
プロセッサによって実行されると、請求項１０〜１６のいずれか一項に記載の方法を前記プロセッサに実現させるプログラムとデータが格納される非揮発性記憶媒体。
【請求項４４】
プロセッサによって実行されると、請求項１７〜１９のいずれか一項に記載の方法を前記プロセッサに実現させるプログラムとデータが格納される非揮発性記憶媒体。
【発明の詳細な説明】
【技術分野】
【０００１】
本願は、２０１６年１１月４日に中国特許庁に提出された中国特許出願２０１６１０９６２４４６．１の優先権を主張し、その全ての内容が援用によりここに取り込まれる。
本開示は、通信技術分野に係り、特にＵＥ（Ｕｓｅｒ  Ｅｑｕｉｐｍｅｎｔ；ユーザ端末）の位置エリアの更新方法、アクセスネットワークエンティティ、ＵＥおよびコアネットワークエンティティに係る。
【背景技術】
【０００２】
関連する移動通信システムにおいて、ＵＥの位置エリアは、コアネットワークによって制御されるＣＮ  ｌｅｖｅｌ（Ｃｏｒｅ  Ｎｅｔｗｏｒｋ  ｌｅｖｅｌ；コアネットワークレベル）の位置エリアを含む。前記コアネットワークによって制御されるＵＥの位置エリアは、ＴＡ（Ｔｒａｃｋｉｎｇ  Ａｒｅａ；トラッキングエリア）と称される。コアネットワークでＴＡに基づいてＵＥの位置エリアのトラッキングを行うことができ、コアネットワークのＵＥ検索に有利である。
【０００３】
将来の移動通信システムにおいて、ＵＥの位置エリアは、アクセスネットワークによって制御されるＲＡＮ  ｌｅｖｅｌ（Ｒｅｓｉｄｅｎｔｉａｌ  Ａｃｃｅｓｓ  Ｎｅｔｗｏｒｋ  ｌｅｖｅｌ；アクセスネットワークレベル）の位置エリアをさらに含む可能性がある。前記アクセスネットワークによって制御されるＵＥのエリアは、ＲＮＡ（ＲＡＮ  Ｎｏｔｉｆｉｃａｔｉｏｎ  Ａｒｅａ；アクセスネットワーク通知エリア）と称される。ＲＮＡは、アクセスネットワークのＵＥ検索に有利である。
【発明の概要】
【発明が解決しようとする課題】
【０００４】
本開示は、ＵＥの位置エリアの更新方法、アクセスネットワークエンティティ、ＵＥおよびコアネットワークエンティティを提供する。
【課題を解決するための手段】
【０００５】
第１態様として、本開示の実施例は、ユーザ端末ＵＥの位置エリアの更新方法を提供する。前記方法において、アクセスネットワークエンティティが、ＵＥから送信される位置エリア更新要求メッセージを受信することと、前記アクセスネットワークエンティティが、位置エリア更新メッセージを前記ＵＥに送信することとを含む。ここで、前記位置エリア更新メッセージは、少なくとも、前記アクセスネットワークエンティティが前記位置エリア更新要求メッセージに応じて更新した前記ＵＥのＲＮＡ情報である目標アクセスネットワーク通知エリアＲＮＡ情報を含む。
【０００６】
選択可能に、前記方法において、前記アクセスネットワークエンティティが、前記位置エリア更新要求メッセージに基づいて、前記ＵＥのトラッキングエリア識別子リストＴＡＩ  ｌｉｓｔの更新が必要であるかを判断することをさらに含む。前記アクセスネットワークエンティティが、位置エリア更新メッセージを前記ＵＥに送信することは、前記ＵＥのＴＡＩ  ｌｉｓｔの更新が必要でなければ、前記アクセスネットワークエンティティが、前記位置エリア更新要求メッセージに基づいて、前記ＵＥのＲＮＡ情報を更新して目標ＲＮＡ情報を得ることと、前記アクセスネットワークエンティティが、前記目標ＲＮＡ情報を含む位置エリア更新メッセージを前記ＵＥに送信することとを含む。
【０００７】
選択可能に、前記方法において、前記アクセスネットワークエンティティが、前記位置エリア更新要求メッセージに基づいて、前記ＵＥのＴＡＩ  ｌｉｓｔの更新が必要であるかを判断することをさらに含む。前記アクセスネットワークエンティティが、位置エリア更新メッセージを前記ＵＥに送信することは、前記ＵＥのＴＡＩ  ｌｉｓｔの更新が必要であれば、前記アクセスネットワークエンティティが、前記位置エリア更新要求メッセージに基づいて、トラッキングエリア更新ＴＡＵ要求をコアネットワークエンティティに送信することと、前記アクセスネットワークエンティティが、前記コアネットワークエンティティにより前記ＴＡＵ要求に応じて更新した前記ＵＥのＴＡＩ  ｌｉｓｔである目標ＴＡＩ  ｌｉｓｔを前記コアネットワークエンティティから受信することと、前記アクセスネットワークエンティティが、前記目標ＲＮＡ情報および前記目標ＴＡＩ  ｌｉｓｔを含む位置エリア更新メッセージを前記ＵＥに送信することとを含む。
【０００８】
選択可能に、前記位置エリア更新要求メッセージにはＲＮＡ更新要求が付帯される。前記アクセスネットワークエンティティが、前記位置エリア更新要求メッセージに基づいて、前記ＵＥのＴＡＩ  ｌｉｓｔの更新が必要であるかを判断することは、前記アクセスネットワークエンティティが、前記ＲＮＡ更新要求の中の目標セルを取得することと、前記アクセスネットワークエンティティが、前記目標セルに対応する識別子が事前に取得した前記ＵＥのＴＡＩ  ｌｉｓｔに含まれるかを判断することと、前記目標セルに対応する識別子が前記ＴＡＩ  ｌｉｓｔに含まれるのであれば、前記アクセスネットワークエンティティが、前記ＵＥのＴＡＩ  ｌｉｓｔの更新が必要ではないと特定することと、前記目標セルに対応する識別子が前記ＴＡＩ  ｌｉｓｔに含まれないのであれば、前記アクセスネットワークエンティティが、前記ＵＥのＴＡＩ  ｌｉｓｔの更新が必要であると特定することとを含む。
【０００９】
選択可能に、前記ＲＮＡ更新要求の無線リソース制御ＲＲＣメッセージは、ＲＮＡ更新要求が付帯される前記位置エリア更新要求メッセージにカプセル化される。
【００１０】
選択可能に、前記位置エリア更新要求メッセージにはＲＮＡ更新要求およびトラッキングエリア更新ＴＡＵ要求が付帯される。前記方法において、前記アクセスネットワークエンティティが、前記位置エリア更新要求メッセージから前記ＴＡＵ要求を分離し、前記ＴＡＵ要求をコアネットワークエンティティに送信することと、前記アクセスネットワークエンティティが、前記コアネットワークエンティティにより更新された前記ＵＥのＴＡＩ  ｌｉｓｔである目標ＴＡＩ  ｌｉｓｔを前記コアネットワークエンティティから受信することとをさらに含む。前記アクセスネットワークエンティティが、位置エリア更新メッセージを前記ＵＥに送信することは、前記アクセスネットワークエンティティが、前記目標ＲＮＡ情報および前記目標ＴＡＩ  ｌｉｓｔが含まれる位置エリア更新メッセージを前記ＵＥに送信することを含む。
【００１１】
選択可能に、前記ＲＮＡ更新要求のＲＲＣメッセージおよび前記ＴＡＵ要求の非アクセス層ＮＡＳメッセージは、前記位置エリア更新要求メッセージにカプセル化される。前記アクセスネットワークエンティティが、前記位置エリア更新要求メッセージから前記ＴＡＵ要求を分離し、前記ＴＡＵ要求をコアネットワークエンティティに送信することは、前記アクセスネットワークエンティティが、前記位置エリア更新要求メッセージから前記ＴＡＵ要求が付帯されるＮＡＳメッセージを分離し、前記ＮＡＳメッセージを前記コアネットワークエンティティに転送することを含む。前記アクセスネットワークエンティティが、目標ＴＡＩ  ｌｉｓｔを前記コアネットワークエンティティから受信することは、前記アクセスネットワークエンティティが、目標ＴＡＩ  ｌｉｓｔが付帯されるＮＡＳメッセージを前記コアネットワークエンティティから受信することを含む。前記アクセスネットワークエンティティが、目標ＲＮＡ情報および目標ＴＡＩ  ｌｉｓｔが含まれる位置エリア更新メッセージを前記ＵＥに送信することは、前記アクセスネットワークエンティティが、前記目標ＲＮＡ情報が付帯されるＲＲＣメッセージおよび前記目標ＴＡＩ  ｌｉｓｔが付帯されるＮＡＳメッセージを前記ＵＥに送信することを含む。
【００１２】
選択可能に、前記ＲＮＡ更新要求のＲＲＣメッセージおよび前記ＴＡＵ要求のＲＲＣメッセージは、前記位置エリア更新要求メッセージにカプセル化される。前記アクセスネットワークエンティティが、前記位置エリア更新要求メッセージから前記ＴＡＵ要求を分離し、前記ＴＡＵ要求をコアネットワークエンティティに送信することは、前記アクセスネットワークエンティティが、前記ＴＡＵ要求が付帯されるＲＲＣメッセージを解析し、前記ＴＡＵ要求が付帯される制御プレーンメッセージまたはユーザプレーンメッセージをコアネットワークエンティティに送信することを含む。前記アクセスネットワークエンティティが、目標ＴＡＩ  ｌｉｓｔを前記コアネットワークエンティティから受信することは、前記アクセスネットワークエンティティが、目標ＴＡＩ  ｌｉｓｔが付帯される制御プレーンメッセージまたはユーザプレーンメッセージを前記コアネットワークエンティティから受信することを含む。前記アクセスネットワークエンティティが、目標ＲＮＡ情報および目標ＴＡＩ  ｌｉｓｔが含まれる位置エリア更新メッセージを前記ＵＥに送信することは、前記アクセスネットワークエンティティが、目標ＲＮＡ情報が付帯されるＲＲＣメッセージおよび前記目標ＴＡＩ  ｌｉｓｔが付帯されるＲＲＣメッセージを前記ＵＥに送信することを含む。
【００１３】
選択可能に、前記方法において、前記アクセスネットワークエンティティが、前記目標ＴＡＩ  ｌｉｓｔに基づいて、前記ＵＥのＲＮＡを更新して目標ＲＮＡ情報を得ることをさらに含む。ここで、前記目標ＴＡＩ  ｌｉｓｔは、前記目標ＲＮＡ情報の中のすべてのセルに対応する識別子を含み、および／または、前記目標ＲＮＡ情報は、前記目標ＴＡＩ  ｌｉｓｔの中のすべての識別子に対応するセルを含む。
【００１４】
第２態様として、本開示の実施例は、ユーザ端末ＵＥの位置エリアの更新方法をさらに提供する。前記方法において、ＵＥからアクセスネットワークエンティティに位置エリア更新要求メッセージを送信することと、前記ＵＥが、前記アクセスネットワークエンティティから送信される位置エリア更新メッセージを受信することとを含む。ここで、前記位置エリア更新メッセージは、少なくとも、前記アクセスネットワークエンティティが前記位置エリア更新要求メッセージに応じて更新した前記ＵＥのＲＮＡ情報である目標アクセスネットワーク通知エリアＲＮＡ情報を含む。
【００１５】
選択可能に、前記位置エリア更新要求メッセージにはアクセスネットワーク通知エリアＲＮＡ更新要求が付帯され、前記位置エリア更新メッセージには前記目標ＲＮＡ情報が付帯され、または、前記位置エリア更新メッセージには、前記目標ＲＮＡ情報、および、コアネットワークエンティティにより更新された前記ＵＥのＴＡＩ  ｌｉｓｔである目標ＴＡＩ  ｌｉｓｔが付帯される。
【００１６】
選択可能に、前記方法において、前記ＵＥが、前記ＵＥの現在の状態を取得することと、前記ＵＥが現在インアクティブ状態であれば、前記ＵＥが、トラッキングエリア更新ＴＡＵ要求をトリガーせず、ＲＮＡ更新要求が付帯される位置エリア更新要求メッセージをアクセスネットワークエンティティに送信することとをさらに含む。
【００１７】
選択可能に、前記ＲＮＡ更新要求の無線リソース制御ＲＲＣメッセージは、前記位置エリア更新要求メッセージにカプセル化され、前記目標ＲＮＡ情報のＲＲＣメッセージは、前記位置エリア更新メッセージにカプセル化され、または、前記目標ＲＮＡ情報のＲＲＣメッセージおよび前記目標ＴＡＩ  ｌｉｓｔのＲＲＣメッセージは、前記位置エリア更新メッセージにカプセル化される。
【００１８】
選択可能に、前記位置エリア更新要求メッセージにはＲＮＡ更新要求およびトラッキング更新ＴＡＵ要求が付帯され、前記位置エリア更新メッセージには、前記目標ＲＮＡ情報、および、コアネットワークエンティティにより更新された前記ＵＥのＴＡＩ  ｌｉｓｔである目標ＴＡＩ  ｌｉｓｔが付帯される。
【００１９】
選択可能に、前記ＲＮＡ更新要求のＲＲＣメッセージおよび前記ＴＡＵ要求のＲＲＣメッセージは、前記位置エリア更新要求メッセージにカプセル化され、前記目標ＲＮＡ情報のＲＲＣメッセージおよび前記目標ＴＡＩ  ｌｉｓｔのＲＲＣメッセージは、前記位置エリア更新メッセージにカプセル化される。
【００２０】
選択可能に、前記ＲＮＡ更新要求のＲＲＣメッセージおよび前記ＴＡＵ要求の非アクセス層ＮＡＳメッセージは、前記位置エリア更新要求メッセージにカプセル化され、前記目標ＲＮＡ情報のＲＲＣメッセージおよび前記目標ＴＡＩ  ｌｉｓｔのＮＡＳメッセージは、前記位置エリア更新メッセージにカプセル化される。
【００２１】
第３態様として、本開示の実施例は、ユーザ端末ＵＥの位置エリアの更新方法をさらに提供する。前記方法において、コアネットワークエンティティが、ＵＥのＵＥ識別子が付帯されるトラッキングエリア更新ＴＡＵ要求をアクセスネットワークエンティティから受信することと、前記コアネットワークエンティティが、前記ＴＡＵ要求に応じて、前記ＵＥのトラッキングエリア識別子リストＴＡＩ  ｌｉｓｔを更新して目標ＴＡＩ  ｌｉｓｔを得ることと、前記コアネットワークエンティティが、前記目標ＴＡＩ  ｌｉｓｔを前記アクセスネットワークエンティティに送信することとを含む。
【００２２】
選択可能に、前記コアネットワークエンティティが、前記ＴＡＵ要求が付帯される制御プレーンメッセージまたはユーザプレーンメッセージを前記アクセスネットワークエンティティから受信し、前記コアネットワークエンティティが、前記目標ＴＡＩ  ｌｉｓｔが付帯される制御プレーンメッセージまたはユーザプレーンメッセージを前記アクセスネットワークエンティティに送信する。
【００２３】
選択可能に、前記コアネットワークエンティティが、前記ＴＡＵ要求が付帯される非アクセス層ＮＡＳメッセージを前記アクセスネットワークエンティティから受信し、前記コアネットワークエンティティが、前記目標ＴＡＩ  ｌｉｓｔが付帯されるＮＡＳメッセージを前記アクセスネットワークエンティティに送信する。
【００２４】
第４態様として、本開示の実施例は、アクセスネットワークエンティティを提供する。前記アクセスネットワークエンティティは、ＵＥから送信される位置エリア更新要求メッセージを受信することに用いられる受信モジュールと、位置エリア更新メッセージを前記ＵＥに送信することに用いられる送信モジュールとを含む。ここで、前記位置エリア更新メッセージは、少なくとも、前記アクセスネットワークエンティティが前記位置エリア更新要求メッセージに応じて更新した前記ＵＥのＲＮＡ情報である目標アクセスネットワーク通知エリアＲＮＡ情報を含む。
【００２５】
選択可能に、前記アクセスネットワークエンティティは、前記位置エリア更新要求メッセージに基づいて、前記ＵＥのトラッキングエリア識別子リストＴＡＩ  ｌｉｓｔの更新が必要であるかを判断することに用いられる判断モジュールをさらに含む。前記送信モジュールは、前記ＵＥのＴＡＩ  ｌｉｓｔの更新が必要でなければ、前記アクセスネットワークエンティティが前記位置エリア更新要求メッセージに基づいて前記ＵＥのＲＮＡ情報を更新して目標ＲＮＡ情報を得ることに用いられる第１更新ユニットと、前記目標ＲＮＡ情報を含む位置エリア更新メッセージを前記ＵＥに送信することに用いられる第１送信ユニットとを含む。
【００２６】
選択可能に、前記アクセスネットワークエンティティは、前記位置エリア更新要求メッセージに基づいて、前記ＵＥのＴＡＩ  ｌｉｓｔの更新が必要であるかを判断することに用いられる判断モジュールをさらに含む。前記送信モジュールは、前記ＵＥのＴＡＩ  ｌｉｓｔの更新が必要であれば、前記位置エリア更新要求メッセージに基づいて、トラッキングエリア更新ＴＡＵ要求をコアネットワークエンティティに送信することに用いられる第２送信ユニットと、前記コアネットワークエンティティにより前記ＴＡＵ要求に応じて更新した前記ＵＥのＴＡＩ  ｌｉｓｔである目標ＴＡＩ  ｌｉｓｔを前記コアネットワークエンティティから受信することに用いられる第１受信ユニットと、前記目標ＲＮＡ情報および前記目標ＴＡＩ  ｌｉｓｔを含む位置エリア更新メッセージを前記ＵＥに送信することに用いられる第３送信ユニットとを含む。
【００２７】
選択可能に、前記位置エリア更新要求メッセージにはＲＮＡ更新要求が付帯される。前記判断モジュールは、前記ＲＮＡ更新要求の中の目標セルを取得することに用いられる取得ユニットと、前記目標セルに対応する識別子が事前に取得した前記ＵＥのＴＡＩ  ｌｉｓｔに含まれるかを判断することに用いられる判断ユニットと、前記目標セルに対応する識別子が前記ＴＡＩ  ｌｉｓｔに含まれるのであれば、前記ＵＥのＴＡＩ  ｌｉｓｔの更新が必要ではないと特定することに用いられる第１特定ユニットと、前記目標セルに対応する識別子が前記ＴＡＩ  ｌｉｓｔに含まれないのであれば、前記ＵＥのＴＡＩ  ｌｉｓｔの更新が必要であると特定することに用いられる第２特定ユニットとを含む。
【００２８】
選択可能に、前記ＲＮＡ更新要求の無線リソース制御ＲＲＣメッセージは、ＲＮＡ更新要求が含まれる前記位置エリア更新要求メッセージにカプセル化される。
【００２９】
選択可能に、前記位置エリア更新要求メッセージにはＲＮＡ更新要求およびトラッキングエリア更新ＴＡＵ要求が付帯される。前記送信モジュールは、前記位置エリア更新要求メッセージから前記ＴＡＵ要求を分離し、前記ＴＡＵ要求をコアネットワークエンティティに送信することに用いられる第４送信ユニットと、前記コアネットワークエンティティにより更新された前記ＵＥのＴＡＩ  ｌｉｓｔである目標ＴＡＩ  ｌｉｓｔを前記コアネットワークエンティティから受信することに用いられる第２受信ユニットと、前記目標ＲＮＡ情報および前記目標ＴＡＩ  ｌｉｓｔが含まれる位置エリア更新メッセージを前記ＵＥに送信することに用いられる第５送信ユニットとを含む。
【００３０】
選択可能に、前記ＲＮＡ更新要求のＲＲＣメッセージおよび前記ＴＡＵ要求の非アクセス層ＮＡＳメッセージは、前記位置エリア更新要求メッセージにカプセル化される。前記第４送信ユニットは、前記位置エリア更新要求メッセージから前記ＴＡＵ要求が付帯されるＮＡＳメッセージを分離し、前記ＮＡＳメッセージを前記コアネットワークエンティティに転送することに用いられる。前記第２受信ユニットは、目標ＴＡＩ  ｌｉｓｔが付帯されるＮＡＳメッセージを前記コアネットワークエンティティから受信することに用いられる。前記第５送信ユニットは、前記目標ＲＮＡ情報が付帯されるＲＲＣメッセージおよび前記目標ＴＡＩ  ｌｉｓｔが付帯されるＮＡＳメッセージを前記ＵＥに送信することに用いられる。
【００３１】
選択可能に、前記ＲＮＡ更新要求のＲＲＣメッセージおよび前記ＴＡＵ要求のＲＲＣメッセージは、前記位置エリア更新要求メッセージにカプセル化される。前記第４送信ユニットは、前記ＴＡＵ要求が付帯されるＲＲＣメッセージを解析し、前記ＴＡＵ要求が付帯される制御プレーンメッセージまたはユーザプレーンメッセージを前記コアネットワークエンティティに送信することに用いられる。前記第２受信ユニットは、前記目標ＴＡＩ  ｌｉｓｔが付帯される制御プレーンメッセージまたはユーザプレーンメッセージを前記コアネットワークエンティティから受信することに用いられる。前記第５送信ユニットは、目標ＲＮＡ情報が付帯されるＲＲＣメッセージおよび前記目標ＴＡＩ  ｌｉｓｔが付帯されるＲＲＣメッセージを前記ＵＥに送信することに用いられる。
【００３２】
選択可能に、前記送信モジュールは、前記目標ＴＡＩ  ｌｉｓｔに基づいて、前記ＵＥのＲＮＡを更新して目標ＲＮＡ情報を得ることに用いられる第２更新ユニットをさらに含む。ここで、前記目標ＴＡＩ  ｌｉｓｔは、前記目標ＲＮＡ情報の中のすべてのセルに対応する識別子を含み、および／または、前記目標ＲＮＡ情報は、前記目標ＴＡＩ  ｌｉｓｔの中のすべての識別子に対応するセルを含む。
【００３３】
第５態様として、本開示の実施例は、ユーザ端末ＵＥをさらに提供する。前記ＵＥは、アクセスネットワークエンティティに位置エリア更新要求メッセージを送信することに用いられる送信モジュールと、前記アクセスネットワークエンティティから送信される位置エリア更新メッセージを受信することに用いられる受信モジュールとを含む。ここで、前記位置エリア更新メッセージは、少なくとも、前記アクセスネットワークエンティティが前記位置エリア更新要求メッセージに応じて更新した前記ＵＥのＲＮＡ情報である目標アクセスネットワーク通知エリアＲＮＡ情報を含む。
【００３４】
選択可能に、前記位置エリア更新要求メッセージにはアクセスネットワーク通知エリアＲＮＡ更新要求が付帯され、前記位置エリア更新メッセージには前記目標ＲＮＡ情報が付帯され、または、前記位置エリア更新メッセージには、前記目標ＲＮＡ情報、および、コアネットワークエンティティにより更新された前記ＵＥのＴＡＩ  ｌｉｓｔである目標ＴＡＩ  ｌｉｓｔが付帯される。
【００３５】
選択可能に、前記ＵＥは、前記ＵＥの現在の状態を取得することに用いられる取得モジュールをさらに含む。前記送信モジュールは、前記ＵＥが現在インアクティブ状態であれば、前記ＵＥからトラッキングエリア更新ＴＡＵ要求の送信を禁止し、前記ＲＮＡ更新要求が付帯される位置エリア更新要求メッセージをアクセスネットワークエンティティに送信することに用いられる。
【００３６】
選択可能に、前記ＲＮＡ更新要求の無線リソース制御ＲＲＣメッセージは、前記位置エリア更新要求メッセージにカプセル化され、前記目標ＲＮＡ情報のＲＲＣメッセージは、前記位置エリア更新メッセージにカプセル化され、または、前記目標ＲＮＡ情報のＲＲＣメッセージおよび前記目標ＴＡＩ  ｌｉｓｔのＲＲＣメッセージは、前記位置エリア更新メッセージにカプセル化される。
【００３７】
選択可能に、前記位置エリア更新要求メッセージにはＲＮＡ更新要求およびトラッキング更新ＴＡＵ要求が付帯され、前記位置エリア更新メッセージには、前記目標ＲＮＡ情報、および、コアネットワークエンティティにより更新された前記ＵＥのＴＡＩ  ｌｉｓｔである目標ＴＡＩ  ｌｉｓｔが付帯される。
【００３８】
選択可能に、前記ＲＮＡ更新要求のＲＲＣメッセージおよび前記ＴＡＵ要求のＲＲＣメッセージは、前記位置エリア更新要求メッセージにカプセル化され、前記目標ＲＮＡ情報のＲＲＣメッセージおよび前記目標ＴＡＩ  ｌｉｓｔのＲＲＣメッセージは、前記位置エリア更新メッセージにカプセル化される。
【００３９】
選択可能に、前記ＲＮＡ更新要求のＲＲＣメッセージおよび前記ＴＡＵ要求の非アクセス層ＮＡＳメッセージは、前記位置エリア更新要求メッセージにカプセル化され、前記目標ＲＮＡ情報のＲＲＣメッセージおよび前記目標ＴＡＩ  ｌｉｓｔのＮＡＳメッセージは、前記位置エリア更新メッセージにカプセル化される。
【００４０】
第６態様として、本開示の実施例は、コアネットワークエンティティをさらに提供する。前記コアネットワークエンティティは、ＵＥのＵＥ識別子が付帯されるトラッキングエリア更新ＴＡＵ要求をアクセスネットワークエンティティから受信することに用いられる受信モジュールと、前記ＴＡＵ要求に応じて、前記ＵＥのトラッキングエリア識別子リストＴＡＩ  ｌｉｓｔを更新して目標ＴＡＩ  ｌｉｓｔを得ることに用いられる更新モジュールと、前記目標ＴＡＩ  ｌｉｓｔを前記アクセスネットワークエンティティに送信することに用いられる送信モジュールとを含む。
【００４１】
選択可能に、前記受信モジュールは、前記ＴＡＵ要求が付帯される制御プレーンメッセージまたはユーザプレーンメッセージを前記アクセスネットワークエンティティから受信することに用いられる。前記送信モジュールは、前記目標ＴＡＩ  ｌｉｓｔが付帯される制御プレーンメッセージまたはユーザプレーンメッセージを前記アクセスネットワークエンティティに送信することに用いられる。
【００４２】
選択可能に、前記受信モジュールは、前記ＴＡＵ要求が付帯される非アクセス層ＮＡＳメッセージを前記アクセスネットワークエンティティから受信することに用いられる。前記送信モジュールは、前記目標ＴＡＩ  ｌｉｓｔが付帯されるＮＡＳメッセージを前記アクセスネットワークエンティティに送信することに用いられる。
【００４３】
第７態様として、本開示の実施例は、プロセッサと、前記プロセッサによる制御でデータを送受信することに用いられるトランシーバと、プログラムとデータを格納することに用いられるメモリと、前記プロセッサと前記トランシーバと前記メモリを互いに通信させるバスインタフェースとを含むアクセスネットワークエンティティを提供する。前記プロセッサは、前記メモリに格納されているプログラムとデータを読み取って上記第１態様に記載の方法を実行するように構成される。
【００４４】
第８態様として、本開示の実施例は、プロセッサと、前記プロセッサによる制御でデータを送受信することに用いられるトランシーバと、プログラムとデータを格納することに用いられるメモリと、前記プロセッサと前記トランシーバと前記メモリを互いに通信させるバスインタフェースとを含むユーザ端末ＵＥをさらに提供する。前記プロセッサは、前記メモリに格納されているプログラムとデータを読み取って上記第２態様に記載の方法を実行するように構成される。
【００４５】
第９態様として、本開示の実施例は、プロセッサと、前記プロセッサによる制御でデータを送受信することに用いられるトランシーバと、プログラムとデータを格納することに用いられるメモリと、前記プロセッサと前記トランシーバと前記メモリを互いに通信させるバスインタフェースとを含むコアネットワークエンティティをさらに提供する。前記プロセッサは、前記メモリに格納されているプログラムとデータを読み取って上記第３態様に記載の方法を実行するように構成される。
【００４６】
第１０態様として、本開示の実施例は、非揮発性記憶媒体をさらに提供する。前記非揮発性記憶媒体にはプログラムとデータが格納される。前記プログラムとデータがプロセッサによって実行されると、前記プロセッサは、上記第１態様に記載の方法を実現する。
【００４７】
第１１態様として、本開示の実施例は、非揮発性記憶媒体をさらに提供する。前記非揮発性記憶媒体にはプログラムとデータが格納される。前記プログラムとデータがプロセッサによって実行されると、前記プロセッサは、上記第２態様に記載の方法を実現する。
【００４８】
第１２態様として、本開示の実施例は、非揮発性記憶媒体をさらに提供する。前記非揮発性記憶媒体にはプログラムとデータが格納される。前記プログラムとデータがプロセッサによって実行されると、前記プロセッサは、上記第３態様に記載の方法を実現する。
【図面の簡単な説明】
【００４９】
本開示の実施例の技術手段をより明確に説明するために、以下、本開示の実施例の記載に必要とされる図面を簡単に紹介する。明らかに、以下の記載に関する図面は、単に本発明の一部の実施例である。当業者にとって、創造性のある作業をしない前提で、これらの図面から他の図面を得ることもできる。
【００５０】
【図１】本開示の実施例におけるＵＥの位置エリアの更新方法の応用環境図である。
【図２】本開示の実施例におけるＵＥの位置エリアの更新方法のフローチャートである。
【図３】本開示の実施例におけるＵＥの位置エリアの更新方法の一例である。
【図４】本開示の実施例における別のＵＥの位置エリアの更新方法の例である。
【図５】本開示の実施例における別のＵＥの位置エリアの更新方法のフローチャートである。
【図６】本開示の実施例における別のＵＥの位置エリアの更新方法のフローチャートである。
【図７】本開示の実施例におけるアクセスネットワークエンティティの構造図である。
【図８】本開示の実施例における別のアクセスネットワークエンティティの構造図である。
【図９】本開示の実施例における別のアクセスネットワークエンティティの構造図である。
【図１０】本開示の実施例における別のアクセスネットワークエンティティの構造図である。
【図１１】本開示の実施例における別のアクセスネットワークエンティティの構造図である。
【図１２】本開示の実施例における別のアクセスネットワークエンティティの構造図である。
【図１３】本開示の実施例におけるＵＥの構造図である。
【図１４】本開示の実施例における別のＵＥの構造図である。
【図１５】本開示の実施例におけるコアネットワークエンティティの構造図である。
【図１６】本開示の実施例におけるアクセスネットワークエンティティの構造図である。
【図１７】本開示の実施例におけるＵＥの構造図である。
【図１８】本開示の実施例におけるコアネットワークエンティティの構造図である。
【発明を実施するための形態】
【００５１】
本開示の解決しようとする技術課題、技術手段および利点をより明確にするために、以下、図面および具体的な実施例に関連して詳細に記載する。
【００５２】
関連する移動通信システムにおいて、ユーザ端末（ＵＥ）の位置エリアは、コアネットワークによって制御され、すなわち、コアネットワークレベル（ＣＮ  ｌｅｖｅｌ）の位置エリアである。コアネットワークによって制御されるＵＥの位置エリアは、ＴＡ（Ｔｒａｃｋｉｎｇ  Ａｒｅａ）と称される。コアネットワークから常にＮＡＳ（Ｎｏｎ  Ａｃｃｅｓｓ  Ｓｔｒａｔｕｍ；非アクセス層）メッセージによってＵＥのＴＡＩ  ｌｉｓｔを設定する。ＵＥは、コアネットワークから設定されるＴＡＩ  ｌｉｓｔを格納する。ＵＥは、１つのセルに滞在し（すなわちＵＥが待機状態である）または１つのセルにアクセスする（すなわちＵＥが接続状態である）場合、ＵＥはセルのエアインタフェース放送のシステム情報を読み取り、その中から情報を取得して現在セルのＴＡＩを取得する。当該ＴＡＩが前記ＵＥの格納済みのＴＡＩ  ｌｉｓｔに格納されるのであれば、ＵＥのＴＡＩ  ｌｉｓｔの更新が必要ではないと意味する。当該ＴＡＩがＴＡＩ  ｌｉｓｔに格納されないのであれば、前記ＵＥは、ＴＡＵ（Ｔｒａｃｋｉｎｇ  Ａｒｅａ  Ｕｐｄａｔｅ；トラッキングエリア更新）プロセスを引き起こし、コアネットワークとのＮＡＳシグナリングのやり取りによって新規のＴＡＩ  ｌｉｓｔを取得する。
【００５３】
次世代の移動通信システム（たとえば５Ｇ）において、新規の移動性状態、たとえばＲＲＣ  ｉｎａｃｔｉｖｅ  ｃｏｎｎｅｃｔｅｄ（インアクティブ状態の無線リソース制御接続であって、以下、インアクティブ状態と略称する。）が導入される可能性がある。ＵＥがインアクティブ状態である場合、アクセスネットワークノードは、当該ＵＥとのＲＲＣ（Ｒａｄｉｏ  Ｒｅｓｏｕｒｃｅ  Ｃｏｎｔｒｏｌ；無線リソース制御）接続が解除されるものの、コアネットワークとの接続が保持される。図１は、本開示の実施例における応用環境図である。図１に示すように、ＵＥが活性化状態である場合、アクセスネットワークノードは、当該ＵＥとのＲＲＣ接続が解除されるが、コアネットワークとの接続が保持される。図１に示すＮＧ２およびＮＧ３について、ＮＧ２は、アクセスネットワークノードとコアネットワークの制御プレーン機能との接続を示し、ＮＧ３は、アクセスネットワークノードとコアネットワークのユーザプレーン機能との接続を示す。ＵＥがインアクティブ状態でコアネットワークに対し透明であり、すなわちコアネットワークから見て、ＵＥが常に接続状態にある。したがって、ダウンリンクシグナリングまたはデータがアクセスネットワークノードに至る。この場合、アクセスネットワークノードからＵＥのページングが必要である。
【００５４】
インアクティブ状態の導入前、ＵＥには待機状態と接続状態しかなく、ＵＥの待機状態における位置エリアは、ＴＡであり、接続状態における位置エリアは、セルである。上記活性化状態の導入後、アクセスネットワークレベル（ＣＮ  ｌｅｖｅｌ）の位置エリアＲＮＡ（ＲＡＮ  Ｎｏｔｉｆｉｃａｔｉｏｎ  Ａｒｅａ；アクセスネットワーク通知エリア）をＵＥに導入する必要がある。ＲＮＡに複数のセルを含んでもよい。アクセスネットワークノードは、ＲＮＡエリア内の複数のセルで通知メッセージを送信してＵＥのページングを行う。ＵＥは、１つのＲＮＡを出ると、アクセスネットワークノードに発見されるように、ＲＮＡの更新を行う必要がある。
【００５５】
ＴＡおよびＲＮＡは、それぞれ、コアネットワークノードおよびアクセスネットワークノードにより保守されるＵＥの位置エリアであり、コアネットワークノードおよびアクセスネットワークノードによるＵＥの位置エリアのトラッキングを可能にする機能を有する。ＵＥが待機状態である場合、コアネットワークにおいて、ＵＥのＴＡＩ  ｌｉｓｔエリアにおけるすべてのセルでページングｐａｇｉｎｇメッセージを送信してＵＥを検索する。ＵＥがインアクティブ状態である場合、アクセスネットワークノードは、ＲＮＡエリアにおけるすべてのセルで通知メッセージｎｏｔｉｆｉｃａｔｉｏｎを送信してＵＥを検索する
【００５６】
図１に示す応用環境図および上記概念の提示に基づき、本開示は、ＵＥの位置エリアの更新方法を提供する。以下、具体的な実施例に関連し、本開示のＵＥの位置エリアの更新方法を詳細に説明する。なお、図１には単に一例が示されているに過ぎず、本開示の実施例は、図１に示す応用環境図への応用に限定されない。本開示に記載のＵＥは、たとえば携帯電話、コンピュータ、家電機器、タブレットコンピュータ（Ｔａｂｌｅｔ  Ｐｅｒｓｏｎａｌ  Ｃｏｍｐｕｔｅｒ）、ラップトップ型コンピュータ（Ｌａｐｔｏｐ  Ｃｏｍｐｕｔｅｒ）、ＰＤＡ（ｐｅｒｓｏｎａｌ  ｄｉｇｉｔａｌ  ａｓｓｉｓｔａｎｔ）、ＭＩＤ（Ｍｏｂｉｌｅ  Ｉｎｔｅｒｎｅｔ  Ｄｅｖｉｃｅ）またはウェアラブルデバイス（Ｗｅａｒａｂｌｅ  Ｄｅｖｉｃｅ）などの端末機器である。なお、本開示の実施例では、ＵＥの具体的な種類の限定をしない。
【００５７】
図２は、本開示の実施例におけるＵＥの位置エリアの更新方法を示す。図２に示すように、前記方法において、アクセスネットワークエンティティが、ＵＥから送信される位置エリア更新要求メッセージを受信するステップ２０１と、前記アクセスネットワークエンティティが、位置エリア更新メッセージを前記ＵＥに送信するステップ２０２とを含む。ここで、前記位置エリア更新メッセージは、少なくとも、前記アクセスネットワークエンティティが前記位置エリア更新要求メッセージに応じて更新した前記ＵＥのＲＮＡ情報である目標アクセスネットワーク通知エリアＲＮＡ情報を含む。
【００５８】
本開示の実施例において、前記アクセスネットワークエンティティは、ＵＥから送信される位置エリア更新要求メッセージを受信する。前記位置エリア更新要求メッセージは、ＲＮＡ更新要求が付帯されるメッセージであってもよく、ＲＮＡ更新要求およびＴＡＵ要求が付帯されるメッセージであってもよい。前記ＵＥは、ＲＮＡ更新要求が付帯されるメッセージを直接に前記アクセスネットワークエンティティに送信してもよく、ＲＮＡ更新要求およびＴＡＵ要求が付帯されるメッセージを直接に前記アクセスネットワークエンティティに送信してもよい。本開示の一部実施例において、前記ＵＥは、まず自身の現在の状態を取得し、現在の状態に基づいて位置エリア更新要求メッセージを前記アクセスネットワークエンティティに送信してもよい。たとえば、前記ＵＥが現在インアクティブ状態である場合、前記ＵＥからＴＡＵ要求を引き起こすことが禁止される。すなわち、前記ＵＥが現在インアクティブ状態である場合、前記ＵＥは、ＲＮＡ更新要求が付帯される位置エリア更新要求メッセージを前記アクセスネットワークエンティティに送信する。
【００５９】
前記アクセスネットワークエンティティは、前記ＵＥから送信される位置エリア更新要求メッセージを受信すると、位置エリア更新メッセージを前記ＵＥへ送信する。前記位置エリア更新メッセージは、目標ＲＮＡ情報のみが付帯されるメッセージであってもよく、前記アクセスネットワークエンティティにより更新された前記ＵＥのＲＮＡ情報である前記目標ＲＮＡ情報、および、コアネットワークエンティティにより更新された前記ＵＥのＴＡＩ  ｌｉｓｔである目標ＴＡＩ  ｌｉｓｔが付帯されるメッセージであってもよい。
【００６０】
前記ＵＥから送信される位置エリア更新要求メッセージとして、ＲＮＡ更新要求が付帯されるメッセージである場合、前記アクセスネットワークエンティティは、前記ＲＮＡ更新要求に応じて、さらに前記ＵＥのＴＡＩ  ｌｉｓｔの更新が必要であるかを判断する。前記アクセスネットワークエンティティは、前記ＵＥのＴＡＩ  ｌｉｓｔの更新が必要ではないと特定すると、前記ＲＮＡ要求に応じて、前記ＵＥのＲＮＡ情報を更新して目標ＲＮＡ情報を得る。前記アクセスネットワークエンティティは、前記目標ＲＮＡ情報が付帯される位置エリア更新メッセージを前記ＵＥに送信する。一方、前記アクセスネットワークエンティティは、前記ＵＥのＴＡＩ  ｌｉｓｔの更新が必要であると特定すると、前記位置エリア更新要求メッセージに応じて、前記ＵＥのＴＡＩ  ｌｉｓｔの更新をコアネットワークエンティティに要求する。すなわち、前記アクセスネットワークエンティティは、ＴＡＵ要求を前記コアネットワークエンティティに送信する。前記コアネットワークエンティティは、前記ＴＡＵ要求を受信すると、前記ＴＡＵ要求に応じて前記ＵＥのＴＡＩ  ｌｉｓｔを更新して目標ＴＡＩ  ｌｉｓｔを得、前記目標ＴＡＩ  ｌｉｓｔを前記アクセスネットワークエンティティに送信する。前記アクセスネットワークエンティティは、さらに、前記ＲＮＡ更新要求に応じて、前記ＵＥのＲＮＡ情報を更新して目標ＲＮＡ情報を得る。前記アクセスネットワークエンティティは、前記目標ＴＡＩ  ｌｉｓｔおよび前記目標ＲＮＡ情報が付帯される位置エリア更新メッセージを前記ＵＥに送信する。
【００６１】
前記ＵＥから送信される位置エリア更新要求メッセージとして、ＲＮＡ更新要求およびＴＡＵ要求が付帯されるメッセージである場合、前記アクセスネットワークエンティティは、目標ＲＮＡ情報および目標ＴＡＩ  ｌｉｓｔが付帯される位置エリア更新メッセージを前記ＵＥに送信する。具体的に、前記アクセスネットワークエンティティは、前記位置エリア更新要求メッセージから前記ＴＡＵ要求を分離し、前記ＴＡＵ要求をコアネットワークエンティティに送信する。前記コアネットワークエンティティは、前記ＴＡＵ要求を受信すると、前記ＴＡＵ要求に応じて前記ＵＥのＴＡＩ  ｌｉｓｔを更新して目標ＴＡＩ  ｌｉｓｔを得る。前記アクセスネットワークエンティティは、さらに、前記ＲＮＡ更新要求に応じて、前記ＵＥのＲＮＡ情報を更新して目標ＲＮＡ情報を得る。前記アクセスネットワークエンティティは、前記目標ＴＡＩ  ｌｉｓｔおよび前記目標ＲＮＡ情報が付帯される位置エリア更新メッセージを前記ＵＥに送信する。なお、前記アクセスネットワークエンティティから前記コアネットワークエンティティに前記ＴＡＵ要求を送信する際に、前記ＴＡＵ要求に前記ＵＥのＵＥ識別子が付帯させる。よって、前記コアネットワークエンティティは、前記ＵＥの識別子から前記ＵＥを特定してそのＴＡＩ  ｌｉｓｔを更新する。
【００６２】
前記ＲＮＡ更新要求および前記ＴＡＵ要求が付帯される位置エリア更新要求メッセージが前記ＵＥから前記アクセスネットワークエンティティに送信される場合、前記ＴＡＵ要求は、非アクセス層ＮＡＳメッセージに付帯される。前記ＵＥは、前記ＲＮＡ更新要求を含むＲＲＣメッセージおよび前記ＴＡＵ要求を含むＮＡＳメッセージを付随形式で前記アクセスネットワークエンティティに送信する。すなわち、前記ＲＮＡ更新要求を含むＲＲＣメッセージおよび前記ＴＡＵ要求を含むＮＡＳメッセージを含むデータパケットは、前記ＵＥから前記アクセスネットワークエンティティに送信される。前記ＵＥは、前記ＴＡＵ要求をＲＲＣメッセージに含ませ、前記ＲＮＡ更新要求を含むＲＲＣメッセージとともに前記アクセスネットワークエンティティに送信してもよい。
【００６３】
なお、前記目標ＲＮＡ情報および前記目標ＴＡＩ  ｌｉｓｔが含まれる位置エリア更新メッセージが前記アクセスネットワークエンティティから前記ＵＥに送信される場合、前記アクセスネットワークエンティティは、前記コアネットワークエンティティに前記ＴＡＵ要求を引き起こす前に、前記ＲＮＡ更新要求に応じて前記ＵＥのＲＮＡを更新してもよく、前記コアネットワークエンティティに前記ＴＡＵ要求を引き起こした後に、前記ＲＮＡ更新要求に応じて前記ＵＥのＲＮＡを更新してもよい。もちろん、前記コアネットワークエンティティに前記ＴＡＵ要求を引き起こすと同時に、前記ＲＮＡに応じて前記ＵＥのＲＮＡを更新してもよい。本開示の一部実施例において、前記アクセスネットワークエンティティは、前記コアネットワークエンティティから送信される前記目標ＴＡＩ  ｌｉｓｔを受信した後に、前記ＲＮＡ更新要求に応じて前記ＵＥのＲＮＡを更新してもよく、または、前記ＲＮＡ更新要求および前記目標ＴＡＩ  ｌｉｓｔに応じて前記ＵＥのＴＡＩ  ｌｉｓｔを更新する。本開示の実施例において、これについて限定しない。
【００６４】
選択可能に、前記方法において、前記アクセスネットワークエンティティが、前記位置エリア更新要求メッセージに基づいて、前記ＵＥのＴＡＩ  ｌｉｓｔの更新が必要であるかを判断することをさらに含む。
【００６５】
前記アクセスネットワークエンティティが、位置エリア更新メッセージを前記ＵＥに送信することは、前記ＵＥのＴＡＩ  ｌｉｓｔの更新が必要でなければ、前記アクセスネットワークエンティティが、前記位置エリア更新要求メッセージに基づいて、前記ＵＥのＲＮＡ情報を更新して目標ＲＮＡ情報を得ることと、前記アクセスネットワークエンティティが、前記目標ＲＮＡ情報を含む位置エリア更新メッセージを前記ＵＥに送信することとを含む。
【００６６】
当該実施例において、前記アクセスネットワークエンティティは、前記位置エリア更新要求メッセージに基づいて、前記ＵＥのＴＡＩ  ｌｉｓｔの更新が必要であるかを判断する。前記ＵＥのＴＡＩ  ｌｉｓｔの更新が必要でなければ、前記アクセスネットワークエンティティは、前記ＲＮＡ更新要求に応じて、前記ＵＥのＲＮＡを更新して目標ＲＮＡ情報を得、前記目標ＲＮＡ情報が付帯される位置エリア更新メッセージを前記ＵＥに送信する。
【００６７】
当該実施例において、前記アクセスネットワークエンティティは、前記ＵＥのＴＡＩ  ｌｉｓｔを事前に格納し、前記ＲＮＡ更新要求および前記事前に格納したＴＡＩ  ｌｉｓｔに基づいて、前記ＵＥのＴＡＩ  ｌｉｓｔの更新が必要であるかを判断する。本開示の一部実施例において、前記ＵＥは、前記ＵＥのＴＡＩ  ｌｉｓｔを前記位置エリア更新要求メッセージに付帯させてもよい。前記アクセスネットワークエンティティは、前記位置エリア更新要求メッセージの中のＲＮＡ更新要求および前記ＵＥのＴＡＩ  ｌｉｓｔに基づいて、前記ＵＥのＴＡＩ  ｌｉｓｔの更新が必要であるかを判断する。
【００６８】
選択可能に、前記方法において、前記アクセスネットワークエンティティが、前記位置エリア更新要求メッセージに基づいて、前記ＵＥのＴＡＩ  ｌｉｓｔの更新が必要であるかを判断することをさらに含む。
【００６９】
前記アクセスネットワークエンティティが位置エリア更新メッセージを前記ＵＥに送信することは、前記ＵＥのＴＡＩ  ｌｉｓｔの更新が必要である場合、前記アクセスネットワークエンティティが、前記位置エリア更新要求メッセージに基づいて、ＴＡＵ要求をコアネットワークエンティティに送信することと、前記アクセスネットワークエンティティが、前記コアネットワークエンティティにより前記ＴＡＵ要求に応じて更新した前記ＵＥのＴＡＩ  ｌｉｓｔである目標ＴＡＩ  ｌｉｓｔを前記コアネットワークエンティティから受信することと、前記アクセスネットワークエンティティが、前記目標ＲＮＡ情報および前記目標ＴＡＩ  ｌｉｓｔを含む位置エリア更新メッセージを前記ＵＥに送信することとを含む。
【００７０】
当該実施例において、前記アクセスネットワークエンティティは、前記位置エリア更新要求メッセージに基づいて、前記ＵＥのＴＡＩ  ｌｉｓｔの更新が必要であるかを判断する。前記ＵＥのＴＡＩ  ｌｉｓｔの更新が必要であれば、前記アクセスネットワークエンティティは、前記位置エリア更新要求メッセージに基づいて、ＴＡＵ要求をコアネットワークエンティティに送信し、前記コアネットワークエンティティにより更新された前記ＵＥの目標ＴＡＩ  ｌｉｓｔを受信した後に、目標ＲＮＡ情報および前記目標ＴＡＩ  ｌｉｓｔが付帯される位置エリア更新メッセージを前記ＵＥに送信する。
【００７１】
図３は、本開示の実施例におけるＵＥの位置エリアの更新方法の一例である。図３に示すように、前記コアネットワークエンティティは、前記ＵＥのＴＡＩ  ｌｉｓｔを前記アクセスネットワークエンティティに送信する。前記アクセスネットワークエンティティは、前記ＵＥのＴＡＩ  ｌｉｓｔを格納して保守する。前記ＵＥは、ＲＮＡ更新要求を前記アクセスネットワークエンティティに送信する。前記アクセスネットワークエンティティは、前記ＲＮＡ更新要求および前記ＴＡＩ  ｌｉｓｔに基づいて、前記ＵＥのＴＡＩ  ｌｉｓｔの更新が必要であるかを判断する。前記ＵＥのＴＡＩ  ｌｉｓｔの更新が必要であれば、前記アクセスネットワークエンティティは、前記コアネットワークエンティティに新規のＴＡＩ  ｌｉｓｔを要求する。前記コアネットワークエンティティは、前記要求に応じて前記アクセスネットワークエンティティに新規のＴＡＩ  ｌｉｓｔを送信する。前記アクセスネットワークエンティティは、新規のＲＮＡおよび新規のＴＡＩ  ｌｉｓｔを前記ＵＥに送信する。このように、前記ＵＥのＲＮＡおよびＴＡの更新が完成する。
【００７２】
選択可能に、前記位置エリア更新要求メッセージにはＲＮＡ更新要求が付帯される。前記アクセスネットワークエンティティが、前記位置エリア更新要求メッセージに基づいて、前記ＵＥのＴＡＩ  ｌｉｓｔの更新が必要であるかを判断することは、前記アクセスネットワークエンティティが、前記ＲＮＡ更新要求の中の目標セルを取得することと、前記アクセスネットワークエンティティが、前記目標セルに対応する識別子が事前に取得した前記ＵＥのＴＡＩ  ｌｉｓｔに含まれるかを判断することと、前記目標セルに対応する識別子が前記ＴＡＩ  ｌｉｓｔに含まれるのであれば、前記アクセスネットワークエンティティが、前記ＵＥのＴＡＩ  ｌｉｓｔの更新が必要ではないと特定することと、前記目標セルに対応する識別子が前記ＴＡＩ  ｌｉｓｔに含まれないのであれば、前記アクセスネットワークエンティティが、前記ＵＥのＴＡＩ  ｌｉｓｔの更新が必要であると特定することとを含む。
【００７３】
当該実施例において、前記位置エリア更新要求メッセージにはＲＮＡ更新要求が付帯される。前記アクセスネットワークエンティティは、前記ＲＮＡ更新要求の中の目標セルを取得し、前記目標セルに対応する識別子が前記ＵＥのＴＡＩ  ｌｉｓｔに含まれるかを判断することによって、前記ＵＥのＴＡＩ  ｌｉｓｔの更新が必要であるかを特定する。具体的に、前記ＲＮＡ更新要求に前記ＵＥの現在の目標セルが含まれ、前記アクセスネットワークエンティティは、前記ＲＮＡ更新要求の中の目標セルを取得し、前記目標セルに対応する識別子が前記ＵＥのＴＡＩ  ｌｉｓｔに含まれるかを判断する。前記目標セルに対応する識別子が前記ＵＥのＴＡＩ  ｌｉｓｔに含まれるのであれば、前記アクセスネットワークエンティティは、前記ＵＥのＴＡＩ  ｌｉｓｔの更新が必要ではないと特定する。一方、前記目標セルに対応する識別子が前記ＵＥのＴＡＩ  ｌｉｓｔに含まれないのであれば、前記アクセスネットワークエンティティは、前記ＵＥのＴＡＩ  ｌｉｓｔの更新が必要であると特定する。
【００７４】
前記ＵＥのＴＡＩ  ｌｉｓｔは、コアネットワークエンティティから前記アクセスネットワークエンティティに送信され、前記アクセスネットワークエンティティによって事前に格納される。前記ＵＥのＴＡＩ  ｌｉｓｔは、前記位置エリア更新要求メッセージに付帯されてもよい。前記アクセスネットワークエンティティは、受信した前記位置エリア更新要求メッセージから前記ＵＥのＴＡＩ  ｌｉｓｔを取得する。
【００７５】
選択可能に、前記ＲＮＡ更新要求のＲＲＣメッセージは、ＲＮＡ更新要求が付帯される前記位置エリア更新要求メッセージにカプセル化される。
【００７６】
当該実施例において、前記ＲＮＡ更新要求が付帯される位置エリア更新要求メッセージが前記ＵＥから前記アクセスネットワークエンティティに送信される場合、前記ＵＥは、前記ＲＮＡ更新要求が付帯されるＲＲＣメッセージを前記アクセスネットワークエンティティに送信する。前記アクセスネットワークエンティティは、前記ＲＲＣメッセージを解析して前記ＲＮＡ更新要求を取得し、前記ＲＮＡ更新要求に応じて、前記ＵＥのＴＡＩ  ｌｉｓｔの更新が必要であるかを判断する。前記ＵＥのＴＡＩ  ｌｉｓｔの更新が必要であれば、前記アクセスネットワークエンティティは、前記ＴＡＵ要求が付帯される制御プレーンメッセージ（たとえば図１に示すＮＧ２経由）またはユーザプレーンメッセージ（たとえば図１に示すＮＧ３経由）を前記コアネットワークエンティティに送信する。前記コアネットワークエンティティは、前記ＴＡＵ要求に応じて、前記ＵＥのＴＡＩ  ｌｉｓｔを更新して目標ＴＡＩ  ｌｉｓｔを得る。前記コアネットワークエンティティは、前記目標ＴＡＩ  ｌｉｓｔが付帯される制御プレーンメッセージまたはユーザプレーンメッセージを前記アクセスネットワークエンティティに送信する。前記アクセスネットワークエンティティは、前記目標ＴＡＩ  ｌｉｓｔを受信すると、前記目標ＴＡＩ  ｌｉｓｔが付帯されるＲＲＣメッセージ、および、目標ＲＮＡ情報が付帯されるＲＲＣメッセージを前記ＵＥに送信する。
【００７７】
選択可能に、前記位置エリア更新要求メッセージにはＲＮＡ更新要求およびＴＡＵ要求が付帯される。前記方法において、前記アクセスネットワークエンティティが、前記位置エリア更新要求メッセージから前記ＴＡＵ要求を分離し、前記ＴＡＵ要求をコアネットワークエンティティに送信することと、前記アクセスネットワークエンティティが、前記コアネットワークエンティティにより更新された前記ＵＥのＴＡＩ  ｌｉｓｔである目標ＴＡＩ  ｌｉｓｔを前記コアネットワークエンティティから受信することとをさらに含む。
【００７８】
前記アクセスネットワークエンティティが、位置エリア更新メッセージを前記ＵＥに送信することは、前記アクセスネットワークエンティティが、前記目標ＲＮＡ情報および前記目標ＴＡＩ  ｌｉｓｔが含まれる位置エリア更新メッセージを前記ＵＥに送信することを含む。
【００７９】
図４は、本開示の実施例における別のＵＥの位置エリアの更新方法の例である。図４に示すように、当該実施例において、前記ＵＥから前記アクセスネットワークエンティティに送信される位置エリア更新要求メッセージには、同時にＲＮＡおよびＴＡＵ要求が付帯される。前記アクセスネットワークエンティティは、前記位置エリア更新要求メッセージから前記ＴＡＵ要求を分離し、前記ＴＡＵ要求を前記コアネットワークエンティティに送信する。前記コアネットワークエンティティは、前記ＴＡＵ要求に応じて前記ＵＥのＴＡＩ  ｌｉｓｔを更新して目標ＴＡＩ  ｌｉｓｔを得る。前記コアネットワークエンティティは、前記目標ＴＡＩ  ｌｉｓｔを前記アクセスネットワークエンティティに送信する。前記アクセスネットワークエンティティは、前記目標ＴＡＩ  ｌｉｓｔを受信し、前記目標ＴＡＩ  ｌｉｓｔおよび目標ＲＮＡ情報が付帯される位置エリア更新メッセージを前記ＵＥに送信する。
【００８０】
選択可能に、前記ＲＮＡ更新要求のＲＲＣメッセージおよび前記ＴＡＵ要求の非アクセス層ＮＡＳメッセージは、前記位置エリア更新要求メッセージにカプセル化される。
【００８１】
前記アクセスネットワークエンティティが、前記位置エリア更新要求メッセージから前記ＴＡＵ要求を分離し、前記ＴＡＵ要求をコアネットワークエンティティに送信することは、前記アクセスネットワークエンティティが、前記ＴＡＵ要求が付帯されるＮＡＳメッセージを前記位置エリア更新要求メッセージから分離し、前記ＮＡＳメッセージを前記コアネットワークエンティティに転送することを含む。
【００８２】
前記アクセスネットワークエンティティが、目標ＴＡＩ  ｌｉｓｔを前記コアネットワークエンティティから受信することは、前記アクセスネットワークエンティティが、目標ＴＡＩ  ｌｉｓｔが付帯されるＮＡＳメッセージを前記コアネットワークエンティティから受信することを含む。
【００８３】
前記アクセスネットワークエンティティが、目標ＲＮＡ情報および目標ＴＡＩ  ｌｉｓｔが含まれる位置エリア更新メッセージを前記ＵＥに送信することは、前記アクセスネットワークエンティティが、前記目標ＲＮＡ情報が付帯されるＲＲＣメッセージおよび前記目標ＴＡＩ  ｌｉｓｔが付帯されるＮＡＳメッセージを前記ＵＥに送信することを含む。
【００８４】
当該実施例において、前記ＵＥから送信される位置エリア更新要求メッセージには、ＲＮＡ更新要求のＲＲＣメッセージおよびＴＡＵ要求のＮＡＳメッセージがカプセル化される。前記アクセスネットワークエンティティは、前記ＴＡＵ要求が付帯されるＮＡＳメッセージを前記位置エリア更新要求メッセージから分離し、前記ＮＡＳメッセージを前記コアネットワークエンティティに転送する。前記コアネットワークエンティティは、前記ＴＡＵ要求が付帯されるＮＡＳメッセージに基づいて、前記ＵＥのＴＡＩ  ｌｉｓｔを更新して目標ＴＡＩ  ｌｉｓｔを得る。前記コアネットワークエンティティは、前記目標ＴＡＩ  ｌｉｓｔが付帯されるＮＡＳメッセージを前記アクセスネットワークエンティティに送信する。前記アクセスネットワークエンティティは、前記目標ＴＡＩ  ｌｉｓｔが付帯されるＮＡＳメッセージを受信し、目標ＲＮＡ情報が付帯されるＲＲＣメッセージとともに前記ＵＥに送信する。前記ＵＥは、アクセス層において、前記目標ＲＮＡ情報が付帯されるＲＲＣメッセージを解析して前記目標ＲＮＡ情報を取得し、非アクセス層において、前記目標ＴＡＩ  ｌｉｓｔが付帯されるＮＡＳメッセージを解析して前記目標ＴＡＩ  ｌｉｓｔを取得する。
【００８５】
選択可能に、前記ＲＮＡ更新要求のＲＲＣメッセージおよび前記ＴＡＵ要求のＲＲＣメッセージは、前記位置エリア更新要求メッセージにカプセル化される。
【００８６】
前記アクセスネットワークエンティティが、前記位置エリア更新要求メッセージから前記ＴＡＵ要求を分離し、前記ＴＡＵ要求をコアネットワークエンティティに送信することは、前記アクセスネットワークエンティティが、前記ＴＡＵ要求が付帯されるＲＲＣメッセージを解析し、前記ＴＡＵ要求が付帯される制御プレーンメッセージまたはユーザプレーンメッセージをコアネットワークエンティティに送信することを含む。
【００８７】
前記アクセスネットワークエンティティが、目標ＴＡＩ  ｌｉｓｔを前記コアネットワークエンティティから受信することは、前記アクセスネットワークエンティティが、目標ＴＡＩ  ｌｉｓｔが付帯される制御プレーンメッセージまたはユーザプレーンメッセージを前記コアネットワークエンティティから受信することを含む。
【００８８】
前記アクセスネットワークエンティティが、目標ＲＮＡ情報および目標ＴＡＩ  ｌｉｓｔが含まれる位置エリア更新メッセージを前記ＵＥに送信することは、前記アクセスネットワークエンティティが、目標ＲＮＡ情報が付帯されるＲＲＣメッセージおよび前記目標ＴＡＩ  ｌｉｓｔが付帯されるＲＲＣメッセージを前記ＵＥに送信することを含む。
【００８９】
当該実施例において、前記ＵＥから送信される位置エリア更新要求メッセージには、ＲＮＡ更新要求のＲＲＣメッセージおよびＴＡＵ要求のＲＲＣメッセージがカプセル化される。前記アクセスネットワークエンティティは、前記ＴＡＵ要求が付帯されるＲＲＣメッセージを解析して前記ＴＡＵ要求を取得し、前記ＴＡＵ要求が付帯される制御プレーンメッセージまたはユーザプレーンメッセージを前記コアネットワークエンティティに送信する。前記コアネットワークエンティティは、前記ＴＡＵ要求を受信し、前記ＵＥのＴＡＩ  ｌｉｓｔを更新して目標ＴＡＩ  ｌｉｓｔを得る。前記コアネットワークエンティティは、前記目標ＴＡＩ  ｌｉｓｔが付帯される制御プレーンメッセージまたはユーザプレーンメッセージを前記アクセスネットワークエンティティに送信する。前記アクセスネットワークエンティティは、前記目標ＴＡＩ  ｌｉｓｔが付帯される制御プレーンメッセージまたはユーザプレーンメッセージを受信して前記目標ＴＡＩ  ｌｉｓｔを取得し、前記目標ＴＡＩ  ｌｉｓｔが付帯されるＲＲＣメッセージ、および、目標ＲＮＡ情報が付帯されるＲＲＣメッセージを前記ＵＥに送信する。
【００９０】
選択可能に、前記方法において、前記アクセスネットワークエンティティが、前記目標ＴＡＩ  ｌｉｓｔに基づいて、前記ＵＥのＲＮＡを更新して目標ＲＮＡ情報を得ることをさらに含む。ここで、前記目標ＴＡＩ  ｌｉｓｔは、前記目標ＲＮＡ情報の中のすべてのセルに対応する識別子を含み、および／または、前記目標ＲＮＡ情報は、前記目標ＴＡＩ  ｌｉｓｔの中のすべての識別子に対応するセルを含む。
【００９１】
当該実施例の前記方法において、目標ＴＡＩ  ｌｉｓｔを前記コアネットワークエンティティから受信した後に前記ＵＥのＲＮＡを更新する。具体的に、前記アクセスネットワークエンティティは、前記目標ＴＡＩ  ｌｉｓｔおよび前記ＲＮＡ更新要求に基づいて、前記ＵＥのＲＮＡ情報を更新して目標ＲＮＡ情報を得る。当該実施例において、前記アクセスネットワークエンティティが前記ＵＥのＲＮＡを更新する際に、前記目標ＲＮＡ情報には、前記目標ＴＡＩ  ｌｉｓｔの中のすべての識別子に対応するセルを含み、および／または、前記目標ＴＡＩ  ｌｉｓｔには、前記目標ＲＮＡ情報の中のすべてのセルに対応する識別子を含むようにする。すなわち、当該実施例において、前記アクセスネットワークエンティティは、前記目標ＴＡＩに基づいて前記ＵＥのＲＮＡを更新することによって、前記ＵＥのＴＡと前記ＵＥのＲＮＡに含まれるセルを同一にし、または、前記ＵＥのＴＡとＲＮＡの境界を揃わせる。前記ＵＥのＴＡは、前記ＵＥのＲＮＡの中のすべてのセルを含み、または、前記ＵＥのＲＮＡは、前記ＵＥのＴＡの中のすべてのセルを含む。このように、本実施例において、前記ＵＥのＴＡがＲＮＡの更新に伴い更新され、または、前記ＵＥのＲＮＡがＴＡの更新に伴い更新され、本開示のＵＥの位置エリアの更新方法によって前記ＵＥのＴＡおよびＲＮＡが統一に管理されることに有利である。
【００９２】
本開示の実施例において、アクセスネットワークエンティティは、ＵＥから送信される位置エリア更新要求メッセージを受信し、前記アクセスネットワークエンティティから位置エリア更新メッセージを前記ＵＥに送信する。ここで、前記位置エリア更新メッセージは、少なくとも、前記アクセスネットワークエンティティが前記位置エリア更新要求メッセージに応じて更新した前記ＵＥのＲＮＡ情報である目標アクセスネットワーク通知エリアＲＮＡ情報を含む。このように、本開示のＵＥの位置エリアの更新方法によれば、ＴＡＵおよびＲＮＡ更新プロセスが協同的に実現され、シグナリングオーバヘッドが小さくなり、ＵＥの位置情報の効果的な管理に有利である。
【００９３】
図５は、本開示の実施例における別のＵＥの位置エリアの更新方法のフローチャートである。図５に示すように、前記方法において、ＵＥからアクセスネットワークエンティティに位置エリア更新要求メッセージを送信するステップ５０１と、前記ＵＥが、前記アクセスネットワークエンティティから送信される位置エリア更新メッセージを受信するステップ５０２とを含む。ここで、前記位置エリア更新メッセージは、少なくとも、前記アクセスネットワークエンティティが前記位置エリア更新要求メッセージに応じて更新した前記ＵＥのＲＮＡ情報である目標アクセスネットワーク通知エリアＲＮＡ情報を含む。
【００９４】
選択可能に、前記位置エリア更新要求メッセージにはアクセスネットワーク通知エリアＲＮＡ更新要求が付帯され、前記位置エリア更新メッセージには前記目標ＲＮＡ情報が付帯され、または、前記位置エリア更新メッセージには、前記目標ＲＮＡ情報、および、コアネットワークエンティティにより更新された前記ＵＥのＴＡＩ  ｌｉｓｔである目標ＴＡＩ  ｌｉｓｔが付帯される。
【００９５】
選択可能に、前記方法において、前記ＵＥが、前記ＵＥの現在の状態を取得することと、前記ＵＥが現在インアクティブ状態であれば、前記ＵＥが、トラッキングエリア更新ＴＡＵ要求を送信せず、ＲＮＡ更新要求が付帯される位置エリア更新要求メッセージをアクセスネットワークエンティティに送信することとをさらに含む。
【００９６】
選択可能に、前記ＲＮＡ更新要求の無線リソース制御ＲＲＣメッセージは、前記位置エリア更新要求メッセージにカプセル化され、前記目標ＲＮＡ情報のＲＲＣメッセージは、前記位置エリア更新メッセージにカプセル化され、または、前記目標ＲＮＡ情報のＲＲＣメッセージおよび前記目標ＴＡＩ  ｌｉｓｔのＲＲＣメッセージは、前記位置エリア更新メッセージにカプセル化される。
【００９７】
選択可能に、前記位置エリア更新要求メッセージにはＲＮＡ更新要求およびトラッキング更新ＴＡＵ要求が付帯され、前記位置エリア更新メッセージには、前記目標ＲＮＡ情報、および、コアネットワークエンティティにより更新された前記ＵＥのＴＡＩ  ｌｉｓｔである目標ＴＡＩ  ｌｉｓｔが付帯される。
【００９８】
選択可能に、前記ＲＮＡ更新要求のＲＲＣメッセージおよび前記ＴＡＵ要求のＲＲＣメッセージは、前記位置エリア更新要求メッセージにカプセル化され、前記目標ＲＮＡ情報のＲＲＣメッセージおよび前記目標ＴＡＩ  ｌｉｓｔのＲＲＣメッセージは、前記位置エリア更新メッセージにカプセル化される。
【００９９】
選択可能に、前記ＲＮＡ更新要求のＲＲＣメッセージおよび前記ＴＡＵ要求の非アクセス層ＮＡＳメッセージは、前記位置エリア更新要求メッセージにカプセル化され、前記目標ＲＮＡ情報のＲＲＣメッセージおよび前記目標ＴＡＩ  ｌｉｓｔのＮＡＳメッセージは、前記位置エリア更新メッセージにカプセル化される。
【０１００】
なお、本実施例は、図２に示す実施例に対応するＵＥ側の実施例である。上記ＵＥが実行する関連ステップは、図２に示す実施例の関連説明を参照されたく、ここでは繰り返して記載しない。
【０１０１】
図６は、本開示の実施例における別のＵＥの位置エリアの更新方法を示す。図６に示すように、前記方法において、コアネットワークエンティティが、ＵＥのＵＥ識別子が付帯されるトラッキングエリア更新ＴＡＵ要求をアクセスネットワークエンティティから受信するステップ６０１と、前記コアネットワークエンティティが、前記ＴＡＵ要求に応じて、前記ＵＥのトラッキングエリア識別子リストＴＡＩ  ｌｉｓｔを更新して目標ＴＡＩ  ｌｉｓｔを得るステップ６０２と、前記コアネットワークエンティティが、前記目標ＴＡＩ  ｌｉｓｔを前記アクセスネットワークエンティティに送信するステップ６０３とを含む。
【０１０２】
選択可能に、前記コアネットワークエンティティは、前記ＴＡＵ要求が付帯される制御プレーンメッセージまたはユーザプレーンメッセージを前記アクセスネットワークエンティティから受信し、前記目標ＴＡＩ  ｌｉｓｔが付帯される制御プレーンメッセージまたはユーザプレーンメッセージを前記アクセスネットワークエンティティに送信する。
【０１０３】
選択可能に、前記コアネットワークエンティティは、前記ＴＡＵ要求が付帯される非アクセス層ＮＡＳメッセージを前記アクセスネットワークエンティティから受信し、前記目標ＴＡＩ  ｌｉｓｔが付帯されるＮＡＳメッセージを前記アクセスネットワークエンティティに送信する。
【０１０４】
なお、本実施例は、図２に示す実施例に対応するコアネットワークエンティティ側の実施例である。上記コアネットワークエンティティが実行する関連ステップは、図２に示す実施例の関連説明を参照されたく、ここでは繰り返して記載しない。
【０１０５】
図７は、本開示の実施例におけるアクセスネットワークエンティティの構造図である。図７に示すように、前記アクセスネットワークエンティティは、ＵＥから送信される位置エリア更新要求メッセージを受信することに用いられる受信モジュール７０１と、位置エリア更新メッセージを前記ＵＥに送信することに用いられる送信モジュール７０２とを含む。ここで、前記位置エリア更新メッセージは、少なくとも、前記アクセスネットワークエンティティが前記位置エリア更新要求メッセージに応じて更新した前記ＵＥのＲＮＡ情報である目標アクセスネットワーク通知エリアＲＮＡ情報を含む。
【０１０６】
選択可能に、図８は、本開示の実施例における別のアクセスネットワークエンティティの構造図である。図８に示すように、前記アクセスネットワークエンティティは、前記位置エリア更新要求メッセージに基づいて、前記ＵＥのトラッキングエリア識別子リストＴＡＩ  ｌｉｓｔの更新が必要であるかを判断することに用いられる判断モジュール７０３をさらに含む。前記送信モジュール７０２は、前記ＵＥのＴＡＩ  ｌｉｓｔの更新が必要でなければ、前記アクセスネットワークエンティティが前記位置エリア更新要求メッセージに基づいて前記ＵＥのＲＮＡ情報を更新して目標ＲＮＡ情報を得ることに用いられる第１更新ユニット７０２１と、前記目標ＲＮＡ情報を含む位置エリア更新メッセージを前記ＵＥに送信することに用いられる第１送信ユニット７０２２とを含む。
【０１０７】
選択可能に、図９は、本開示の実施例における別のアクセスネットワークエンティティの構造図である。図９に示すように、前記アクセスネットワークエンティティは、前記位置エリア更新要求メッセージに基づいて、前記ＵＥのＴＡＩ  ｌｉｓｔの更新が必要であるかを判断することに用いられる判断モジュール７０３をさらに含む。前記送信モジュール７０２は、前記ＵＥのＴＡＩ  ｌｉｓｔの更新が必要であれば、前記位置エリア更新要求メッセージに基づいて、トラッキングエリア更新ＴＡＵ要求をコアネットワークエンティティに送信することに用いられる第２送信ユニット７０２３と、前記コアネットワークエンティティにより前記ＴＡＵ要求に応じて更新した前記ＵＥのＴＡＩ  ｌｉｓｔである目標ＴＡＩ  ｌｉｓｔを前記コアネットワークエンティティから受信することに用いられる第１受信ユニット７０２４と、前記目標ＲＮＡ情報および前記目標ＴＡＩ  ｌｉｓｔを含む位置エリア更新メッセージを前記ＵＥに送信することに用いられる第３送信ユニット７０２５とを含む。
【０１０８】
選択可能に、図１０は、本開示の実施例における別のアクセスネットワークエンティティの構造図である。図１０に示すように、前記位置エリア更新要求メッセージにはＲＮＡ更新要求が付帯される。前記判断モジュール７０３は、前記ＲＮＡ更新要求の中の目標セルを取得することに用いられる取得ユニット７０３１と、前記目標セルに対応する識別子が事前に取得した前記ＵＥのＴＡＩ  ｌｉｓｔに含まれるかを判断することに用いられる判断ユニット７０３２と、前記目標セルに対応する識別子が前記ＴＡＩ  ｌｉｓｔに含まれるのであれば、前記ＵＥのＴＡＩ  ｌｉｓｔの更新が必要ではないと特定することに用いられる第１特定ユニット７０３３と、前記目標セルに対応する識別子が前記ＴＡＩ  ｌｉｓｔに含まれないのであれば、前記ＵＥのＴＡＩ  ｌｉｓｔの更新が必要であると特定することに用いられる第２特定ユニット７０３４とを含む。
【０１０９】
選択可能に、前記ＲＮＡ更新要求の無線リソース制御ＲＲＣメッセージは、ＲＮＡ更新要求が付帯される前記位置エリア更新要求メッセージにカプセル化される。
【０１１０】
選択可能に、図１１は、本開示の実施例における別のアクセスネットワークエンティティの構造図である。図１１に示すように、前記位置エリア更新要求メッセージにはＲＮＡ更新要求およびトラッキングエリア更新ＴＡＵ要求が付帯される。前記送信モジュール７０２は、前記位置エリア更新要求メッセージから前記ＴＡＵ要求を分離し、前記ＴＡＵ要求をコアネットワークエンティティに送信することに用いられる第４送信ユニット７０２６と、前記コアネットワークエンティティにより更新された前記ＵＥのＴＡＩ  ｌｉｓｔである目標ＴＡＩ  ｌｉｓｔを前記コアネットワークエンティティから受信することに用いられる第２受信ユニット７０２７と、前記目標ＲＮＡ情報および前記目標ＴＡＩ  ｌｉｓｔが含まれる位置エリア更新メッセージを前記ＵＥに送信することに用いられる第５送信ユニット７０２８とを含む。
【０１１１】
選択可能に、前記ＲＮＡ更新要求のＲＲＣメッセージおよび前記ＴＡＵ要求の非アクセス層ＮＡＳメッセージは、前記位置エリア更新要求メッセージにカプセル化される。前記第４送信ユニット７０２６は、前記位置エリア更新要求メッセージから前記ＴＡＵ要求が付帯される前記ＮＡＳメッセージを分離し、前記ＮＡＳメッセージを前記コアネットワークエンティティに転送することに用いられる。前記第２受信ユニット７０２７は、目標ＴＡＩ  ｌｉｓｔが付帯されるＮＡＳメッセージを前記コアネットワークエンティティから受信することに用いられる。前記第５送信ユニット７０２８は、前記目標ＲＮＡ情報が付帯されるＲＲＣメッセージおよび前記目標ＴＡＩ  ｌｉｓｔが付帯されるＮＡＳメッセージを前記ＵＥに送信することに用いられる。
【０１１２】
選択可能に、前記ＲＮＡ更新要求のＲＲＣメッセージおよび前記ＴＡＵ要求のＲＲＣメッセージは、前記位置エリア更新要求メッセージにカプセル化される。前記第４送信ユニット７０２６は、前記ＴＡＵ要求が付帯されるＲＲＣメッセージを解析し、前記ＴＡＵ要求が付帯される制御プレーンメッセージまたはユーザプレーンメッセージを前記コアネットワークエンティティに送信することに用いられる。前記第２受信ユニット７０２７は、前記目標ＴＡＩ  ｌｉｓｔが付帯される制御プレーンメッセージまたはユーザプレーンメッセージを前記コアネットワークエンティティから受信することに用いられる。前記第５送信ユニット７０２８は、目標ＲＮＡ情報が付帯されるＲＲＣメッセージおよび前記目標ＴＡＩ  ｌｉｓｔが付帯されるＲＲＣメッセージを前記ＵＥに送信することに用いられる。
【０１１３】
選択可能に、図１２は、本開示の実施例における別のアクセスネットワークエンティティの構造図である。図１２に示すように、前記送信モジュール７０２は、前記目標ＴＡＩ  ｌｉｓｔに基づいて、前記ＵＥのＲＮＡを更新して目標ＲＮＡ情報を得ることに用いられる第２更新ユニット７０２９をさらに含む。ここで、前記目標ＴＡＩ  ｌｉｓｔは、前記目標ＲＮＡ情報の中のすべてのセルに対応する識別子を含み、および／または、前記目標ＲＮＡ情報は、前記目標ＴＡＩ  ｌｉｓｔの中のすべての識別子に対応するセルを含む。
【０１１４】
なお、本実施例における上記アクセスネットワークエンティティは、図１〜図６に示す実施例におけるアクセスネットワークエンティティであってもよい。図１〜図６に示す実施例におけるアクセスネットワークエンティティの任意の実施形態は、いずれも本実施例における上記アクセスネットワークエンティティによって実現され、同一の効果を奏することができ、ここでは繰り返して記載しない。
【０１１５】
図１３は、本開示の実施例におけるＵＥの構造図である。図１３に示すように、前記ＵＥは、アクセスネットワークエンティティに位置エリア更新要求メッセージを送信することに用いられる送信モジュール１３０１と、前記アクセスネットワークエンティティから送信される位置エリア更新メッセージを受信することに用いられる受信モジュール１３０２とを含む。ここで、前記位置エリア更新メッセージは、少なくとも、前記アクセスネットワークエンティティが前記位置エリア更新要求メッセージに応じて更新した前記ＵＥのＲＮＡ情報である目標アクセスネットワーク通知エリアＲＮＡ情報を含む。
【０１１６】
選択可能に、前記位置エリア更新要求メッセージにはアクセスネットワーク通知エリアＲＮＡ更新要求が付帯され、前記位置エリア更新メッセージには前記目標ＲＮＡ情報が付帯され、または、前記位置エリア更新メッセージには、前記目標ＲＮＡ情報、および、コアネットワークエンティティにより更新された前記ＵＥのＴＡＩ  ｌｉｓｔである目標ＴＡＩ  ｌｉｓｔが付帯される。
【０１１７】
選択可能に、図１４は、本開示の実施例における別のＵＥの構造図である。図１４に示すように、前記ＵＥは、前記ＵＥの現在の状態を取得することに用いられる取得モジュール１３０３をさらに含む。前記送信モジュール１３０１は、前記ＵＥが現在インアクティブ状態であれば、前記ＵＥからトラッキングエリア更新ＴＡＵ要求の送信を禁止し、前記ＲＮＡ更新要求が付帯される位置エリア更新要求メッセージをアクセスネットワークエンティティに送信することに用いられる。
【０１１８】
選択可能に、前記ＲＮＡ更新要求の無線リソース制御ＲＲＣメッセージは、前記位置エリア更新要求メッセージにカプセル化され、前記目標ＲＮＡ情報のＲＲＣメッセージは、前記位置エリア更新メッセージにカプセル化され、または、前記目標ＲＮＡ情報のＲＲＣメッセージおよび前記目標ＴＡＩ  ｌｉｓｔのＲＲＣメッセージは、前記位置エリア更新メッセージにカプセル化される。
【０１１９】
選択可能に、前記位置エリア更新要求メッセージにはＲＮＡ更新要求およびトラッキング更新ＴＡＵ要求が付帯され、前記位置エリア更新メッセージには、前記目標ＲＮＡ情報、および、コアネットワークエンティティにより更新された前記ＵＥのＴＡＩ  ｌｉｓｔである目標ＴＡＩ  ｌｉｓｔが付帯される。
【０１２０】
選択可能に、前記ＲＮＡ更新要求のＲＲＣメッセージおよび前記ＴＡＵ要求のＲＲＣメッセージは、前記位置エリア更新要求メッセージにカプセル化され、前記目標ＲＮＡ情報のＲＲＣメッセージおよび前記目標ＴＡＩ  ｌｉｓｔのＲＲＣメッセージは、前記位置エリア更新メッセージにカプセル化される。
【０１２１】
選択可能に、前記ＲＮＡ更新要求のＲＲＣメッセージおよび前記ＴＡＵ要求の非アクセス層ＮＡＳメッセージは、前記位置エリア更新要求メッセージにカプセル化され、前記目標ＲＮＡ情報のＲＲＣメッセージおよび前記目標ＴＡＩ  ｌｉｓｔのＮＡＳメッセージは、前記位置エリア更新メッセージにカプセル化される。
【０１２２】
なお、本実施例における上記ＵＥは、図１〜図６に示す実施例におけるＵＥであってもよい。図１〜図６に示す実施例におけるＵＥの任意の実施形態は、いずれも本実施例における上記ＵＥによって実現され、同一の効果を奏することができ、ここでは繰り返して記載しない。
【０１２３】
図１５は、本開示の実施例におけるコアネットワークエンティティの構造図である。図１５に示すように、前記コアネットワークエンティティは、ＵＥのＵＥ識別子が付帯されるトラッキングエリア更新ＴＡＵ要求をアクセスネットワークエンティティから受信することに用いられる受信モジュール１５０１と、前記ＴＡＵ要求に応じて、前記ＵＥのトラッキングエリア識別子リストＴＡＩ  ｌｉｓｔを更新して目標ＴＡＩ  ｌｉｓｔを得ることに用いられる更新モジュール１５０２と、前記目標ＴＡＩ  ｌｉｓｔを前記アクセスネットワークエンティティに送信することに用いられる送信モジュール１５０３とを含む。
【０１２４】
選択可能に、前記受信モジュール１５０１は、前記ＴＡＵ要求が付帯される制御プレーンメッセージまたはユーザプレーンメッセージを前記アクセスネットワークエンティティから受信することに用いられる。前記送信モジュール１５０３は、前記目標ＴＡＩ  ｌｉｓｔが付帯される制御プレーンメッセージまたはユーザプレーンメッセージを前記アクセスネットワークエンティティに送信することに用いられる。
【０１２５】
選択可能に、前記受信モジュール１５０１は、前記ＴＡＵ要求が付帯される非アクセス層ＮＡＳメッセージを前記アクセスネットワークエンティティから受信することに用いられる。前記送信モジュール１５０３は、前記目標ＴＡＩ  ｌｉｓｔが付帯されるＮＡＳメッセージを前記アクセスネットワークエンティティに送信することに用いられる。
【０１２６】
なお、本実施例における上記コアネットワークエンティティは、図１〜図６に示す実施例におけるコアネットワークエンティティであってもよい。図１〜図６に示す実施例におけるコアネットワークエンティティの任意の実施形態は、いずれも本実施例における上記コアネットワークエンティティによって実現され、同一の効果を奏することができ、ここでは繰り返して記載しない。
【０１２７】
図１６は、本開示の実施例におけるアクセスネットワークエンティティの構造図である。図１６に示すように、前記アクセスネットワークエンティティは、プロセッサ１６００と、プロセッサ１６００による制御でデータを送受信することに用いられるトランシーバ１６１０と、メモリ１６２０と、ユーザインタフェース１６３０と、バスインタフェースとを含む。プロセッサ１６００は、メモリ１６２０からプログラムを読み取ることによって、ＵＥから送信される位置エリア更新要求メッセージを受信するプロセスと、位置エリア更新メッセージを前記ＵＥに送信するプロセスとを実行する。ここで、前記位置エリア更新メッセージは、少なくとも、前記アクセスネットワークエンティティが前記位置エリア更新要求メッセージに応じて更新した前記ＵＥのＲＮＡ情報である目標アクセスネットワーク通知エリアＲＮＡ情報を含む。
【０１２８】
図１６において、バスアーキテクチャは、任意数の相互接続するバスとブリッジを含み、具体的に、プロセッサ１６００をはじめとする１つ又は複数のプロセッサとメモリ１６２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であるため、本文においてさらなる記載をしない。バスインタフェースにより、インタフェースが提供される。トランシーバ１６１０は、複数の部品であってもよく、即ち送信機と受信機を含み、伝送媒体でほかの各種類の装置と通信するユニットとして提供される。ユーザ機器によっては、ユーザインタフェース１６３０は、内部接続や外部接続する機器のインタフェースであってもよい。接続する機器は、キーパッド、ディスプレイ、スピーカ、マイクロフォン、ジョイスティックなどを含むが、それらに限られない。
【０１２９】
プロセッサ１６００は、バスアーキテクチャと通常の処理を管理する。メモリ１６２０は、プロセッサ１６００による操作実行に使用されるデータを記憶できる。
【０１３０】
選択可能に、前記プロセッサ１６００は、さらに、前記位置エリア更新要求メッセージに基づいて、前記ＵＥのトラッキングエリア識別子リストＴＡＩ  ｌｉｓｔの更新が必要であるかを判断することに用いられる。前記プロセッサ１６００が位置エリア更新メッセージを前記ＵＥに送信することは、前記ＵＥのＴＡＩ  ｌｉｓｔの更新が必要でなければ、前記位置エリア更新要求メッセージに基づいて、前記ＵＥのＲＮＡ情報を更新して目標ＲＮＡ情報を得ることと、前記目標ＲＮＡ情報を含む位置エリア更新メッセージを前記ＵＥに送信することとを含む。
【０１３１】
選択可能に、前記プロセッサ１６００は、さらに、前記位置エリア更新要求メッセージに基づいて、前記ＵＥのＴＡＩ  ｌｉｓｔの更新が必要であるかを判断することに用いられる。前記プロセッサ１６００が位置エリア更新メッセージを前記ＵＥに送信することは、前記ＵＥのＴＡＩ  ｌｉｓｔの更新が必要であれば、前記位置エリア更新要求メッセージに基づいて、トラッキングエリア更新ＴＡＵ要求をコアネットワークエンティティに送信することと、前記コアネットワークエンティティにより前記ＴＡＵ要求に応じて更新した前記ＵＥのＴＡＩ  ｌｉｓｔである目標ＴＡＩ  ｌｉｓｔを前記コアネットワークエンティティから受信することと、前記目標ＲＮＡ情報および前記目標ＴＡＩ  ｌｉｓｔを含む位置エリア更新メッセージを前記ＵＥに送信することとを含む。
【０１３２】
選択可能に、前記位置エリア更新要求メッセージにはＲＮＡ更新要求が付帯される。前記プロセッサ１６００が、前記位置エリア更新要求メッセージに基づいて、前記ＵＥのＴＡＩ  ｌｉｓｔの更新が必要であるかを判断することは、前記ＲＮＡ更新要求の中の目標セルを取得することと、前記目標セルに対応する識別子が事前に取得した前記ＵＥのＴＡＩ  ｌｉｓｔに含まれるかを判断することと、前記目標セルに対応する識別子が前記ＴＡＩ  ｌｉｓｔに含まれるのであれば、前記ＵＥのＴＡＩ  ｌｉｓｔの更新が必要ではないと特定することと、前記目標セルに対応する識別子が前記ＴＡＩ  ｌｉｓｔに含まれないのであれば、前記ＵＥのＴＡＩ  ｌｉｓｔの更新が必要であると特定することとを含む。
【０１３３】
選択可能に、前記ＲＮＡ更新要求の無線リソース制御ＲＲＣメッセージは、ＲＮＡ更新要求が付帯される前記位置エリア更新要求メッセージにカプセル化される。
【０１３４】
選択可能に、前記位置エリア更新要求メッセージにはＲＮＡ更新要求およびトラッキングエリア更新ＴＡＵ要求が付帯される。前記プロセッサ１６００は、さらに、前記位置エリア更新要求メッセージから前記ＴＡＵ要求を分離し、前記ＴＡＵ要求をコアネットワークエンティティに送信することと、前記コアネットワークエンティティにより更新された前記ＵＥのＴＡＩ  ｌｉｓｔである目標ＴＡＩ  ｌｉｓｔを前記コアネットワークエンティティから受信することとに用いられる。
【０１３５】
前記プロセッサ１６００が、位置エリア更新メッセージを前記ＵＥに送信することは、前記目標ＲＮＡ情報および前記目標ＴＡＩ  ｌｉｓｔが含まれる位置エリア更新メッセージを前記ＵＥに送信することを含む。
【０１３６】
選択可能に、前記ＲＮＡ更新要求のＲＲＣメッセージおよび前記ＴＡＵ要求の非アクセス層ＮＡＳメッセージは、前記位置エリア更新要求メッセージにカプセル化される。前記プロセッサ１６００が、前記位置エリア更新要求メッセージから前記ＴＡＵ要求を分離し、前記ＴＡＵ要求をコアネットワークエンティティに送信することは、前記位置エリア更新要求メッセージから前記ＴＡＵ要求が付帯されるＮＡＳメッセージを分離し、前記ＮＡＳメッセージを前記コアネットワークエンティティに転送することを含む。前記プロセッサ１６００が、目標ＴＡＩ  ｌｉｓｔを前記コアネットワークエンティティから受信することは、目標ＴＡＩ  ｌｉｓｔが付帯されるＮＡＳメッセージを前記コアネットワークエンティティから受信することを含む。
【０１３７】
前記プロセッサ１６００が、目標ＲＮＡ情報および目標ＴＡＩ  ｌｉｓｔが含まれる位置エリア更新メッセージを前記ＵＥに送信することは、前記目標ＲＮＡ情報が付帯されるＲＲＣメッセージおよび前記目標ＴＡＩ  ｌｉｓｔが付帯されるＮＡＳメッセージを前記ＵＥに送信することを含む。
【０１３８】
選択可能に、前記ＲＮＡ更新要求のＲＲＣメッセージおよび前記ＴＡＵ要求のＲＲＣメッセージは、前記位置エリア更新要求メッセージにカプセル化される。前記プロセッサ１６００が、前記位置エリア更新要求メッセージから前記ＴＡＵ要求を分離し、前記ＴＡＵ要求をコアネットワークエンティティに送信することは、前記ＴＡＵ要求が付帯されるＲＲＣメッセージを解析し、前記ＴＡＵ要求が付帯される制御プレーンメッセージまたはユーザプレーンメッセージをコアネットワークエンティティに送信することを含む。前記プロセッサ１６００が、目標ＴＡＩ  ｌｉｓｔを前記コアネットワークエンティティから受信することは、目標ＴＡＩ  ｌｉｓｔが付帯される制御プレーンメッセージまたはユーザプレーンメッセージを前記コアネットワークエンティティから受信することを含む。前記プロセッサ１６００が、目標ＲＮＡ情報および目標ＴＡＩ  ｌｉｓｔが含まれる位置エリア更新メッセージを前記ＵＥに送信することは、目標ＲＮＡ情報が付帯されるＲＲＣメッセージおよび前記目標ＴＡＩ  ｌｉｓｔが付帯されるＲＲＣメッセージを前記ＵＥに送信することを含む。
【０１３９】
選択可能に、前記プロセッサ１６００は、さらに、前記目標ＴＡＩ  ｌｉｓｔに基づいて、前記ＵＥのＲＮＡを更新して目標ＲＮＡ情報を得ることに用いられる。ここで、前記目標ＴＡＩ  ｌｉｓｔは、前記目標ＲＮＡ情報の中のすべてのセルに対応する識別子を含み、および／または、前記目標ＲＮＡ情報は、前記目標ＴＡＩ  ｌｉｓｔの中のすべての識別子に対応するセルを含む。
【０１４０】
なお、本実施例における上記アクセスネットワークエンティティは、図１〜図６に示す実施例におけるアクセスネットワークエンティティであってもよい。図１〜図６に示す実施例におけるアクセスネットワークエンティティの任意の実施形態は、いずれも本実施例における上記アクセスネットワークエンティティによって実現され、同一の効果を奏することができ、ここでは繰り返して記載しない。
【０１４１】
図１７にＵＥの構造が示されている。当該ＵＥは、プロセッサ１７００と、トランシーバ１７１０と、メモリ１７２０と、ユーザインタフェース１７３０と、バスインタフェースとを含む。プロセッサ１７００は、メモリ１７２０からプログラムを読み取ることによって、アクセスネットワークエンティティに位置エリア更新要求メッセージを送信するプロセスと、前記アクセスネットワークエンティティから送信される位置エリア更新メッセージを受信するプロセスとを実行する。ここで、前記位置エリア更新メッセージは、少なくとも、前記アクセスネットワークエンティティが前記位置エリア更新要求メッセージに応じて更新した前記ＵＥのＲＮＡ情報である目標アクセスネットワーク通知エリアＲＮＡ情報を含む。
【０１４２】
図１７において、バスアーキテクチャは、任意数の相互接続するバスとブリッジを含み、具体的に、プロセッサ１７００をはじめとする１つ又は複数のプロセッサとメモリ１７２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であるため、本文においてさらなる記載をしない。バスインタフェースにより、インタフェースが提供される。トランシーバ１７１０は、複数の部品であってもよく、即ち送信機と受信機を含み、伝送媒体でほかの各種類の装置と通信するユニットとして提供される。プロセッサ１７００は、バスアーキテクチャと通常の処理を管理する。メモリ１７２０は、プロセッサ１７００による操作実行に使用されるデータを記憶できる。
【０１４３】
プロセッサ１７００は、バスアーキテクチャと通常の処理を管理する。メモリ１７２０は、プロセッサ１７００による操作実行に使用されるデータを記憶できる。
【０１４４】
選択可能に、前記位置エリア更新要求メッセージにはアクセスネットワーク通知エリアＲＮＡ更新要求が付帯され、前記位置エリア更新メッセージには前記目標ＲＮＡ情報が付帯され、または、前記位置エリア更新メッセージには、前記目標ＲＮＡ情報、および、コアネットワークエンティティにより更新された前記ＵＥのＴＡＩ  ｌｉｓｔである目標ＴＡＩ  ｌｉｓｔが付帯される。
【０１４５】
選択可能に、前記プロセッサ１７００は、さらに、前記ＵＥの現在の状態を取得することと、前記ＵＥが現在インアクティブ状態であれば、ＲＮＡ更新要求が付帯される位置エリア更新要求メッセージをアクセスネットワークエンティティに送信することとに用いられる。
【０１４６】
選択可能に、前記ＲＮＡ更新要求の無線リソース制御ＲＲＣメッセージは、前記位置エリア更新要求メッセージにカプセル化され、前記目標ＲＮＡ情報のＲＲＣメッセージは、前記位置エリア更新メッセージにカプセル化され、または、前記目標ＲＮＡ情報のＲＲＣメッセージおよび前記目標ＴＡＩ  ｌｉｓｔのＲＲＣメッセージは、前記位置エリア更新メッセージにカプセル化される。
【０１４７】
選択可能に、前記位置エリア更新要求メッセージにはＲＮＡ更新要求およびトラッキング更新ＴＡＵ要求が付帯され、前記位置エリア更新メッセージには、前記目標ＲＮＡ情報、および、コアネットワークエンティティにより更新された前記ＵＥのＴＡＩ  ｌｉｓｔである目標ＴＡＩ  ｌｉｓｔが付帯される。
【０１４８】
選択可能に、前記プロセッサ１７００は、さらに、前記ＵＥの現在の状態を取得することと、前記ＵＥが現在待機状態または接続状態であれば、ＲＮＡ更新要求およびトラッキングエリア更新ＴＡＵ要求が付帯される位置エリア更新要求メッセージをアクセスネットワークエンティティに送信することとに用いられる。
【０１４９】
選択可能に、前記ＲＮＡ更新要求のＲＲＣメッセージおよび前記ＴＡＵ要求のＲＲＣメッセージは、前記位置エリア更新要求メッセージにカプセル化され、前記目標ＲＮＡ情報のＲＲＣメッセージおよび前記目標ＴＡＩ  ｌｉｓｔのＲＲＣメッセージは、前記位置エリア更新メッセージにカプセル化される。
【０１５０】
選択可能に、前記ＲＮＡ更新要求のＲＲＣメッセージおよび前記ＴＡＵ要求の非アクセス層ＮＡＳメッセージは、前記位置エリア更新要求メッセージにカプセル化され、前記目標ＲＮＡ情報のＲＲＣメッセージおよび前記目標ＴＡＩ  ｌｉｓｔのＮＡＳメッセージは、前記位置エリア更新メッセージにカプセル化される。
【０１５１】
選択可能に、前記ＵＥと前記移動性管理機能は、同一の制御プレーン管理機能に設けられる。
【０１５２】
なお、本実施例における上記ＵＥは、図１〜図６に示す実施例におけるＵＥであってもよい。図１〜図６に示す実施例におけるＵＥの任意の実施形態は、いずれも本実施例における上記ＵＥによって実現され、同一の効果を奏することができ、ここでは繰り返して記載しない。
【０１５３】
図１８には、コアネットワークエンティティの構造が示されている。当該コアネットワークエンティティは、プロセッサ１８００と、トランシーバ１８１０と、メモリ１８２０と、ユーザインタフェース１８３０と、バスインタフェースとを含む。プロセッサは、メモリ１８２０からプログラムを読み取ることによって、ＵＥのＵＥ識別子が付帯されるトラッキングエリア更新ＴＡＵ要求をアクセスネットワークエンティティから受信するプロセスと、前記ＴＡＵ要求に応じて、前記ＵＥのトラッキングエリア識別子リストＴＡＩ  ｌｉｓｔを更新して目標ＴＡＩ  ｌｉｓｔを得るプロセスと、前記目標ＴＡＩ  ｌｉｓｔを前記アクセスネットワークエンティティに送信するプロセスとを実行する。
【０１５４】
図１８において、バスアーキテクチャは、任意数の相互接続するバスとブリッジを含み、具体的に、プロセッサ１８００をはじめとする１つ又は複数のプロセッサとメモリ１８２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であるため、本文においてさらなる記載をしない。バスインタフェースにより、インタフェースが提供される。トランシーバ１８１０は、複数の部品であってもよく、即ち送信機と受信機を含み、伝送媒体でほかの各種類の装置と通信するユニットとして提供される。プロセッサ１８００は、バスアーキテクチャと通常の処理を管理する。メモリ１８２０は、プロセッサ１８００による操作実行に使用されるデータを記憶できる。
【０１５５】
プロセッサ１８００は、バスアーキテクチャと通常の処理を管理する。メモリ１８２０は、プロセッサ１８００による操作実行に使用されるデータを記憶できる。
【０１５６】
選択可能に、前記プロセッサ１８００は、前記ＴＡＵ要求が付帯される制御プレーンメッセージまたはユーザプレーンメッセージを前記アクセスネットワークエンティティから受信し、前記目標ＴＡＩ  ｌｉｓｔが付帯される制御プレーンメッセージまたはユーザプレーンメッセージを前記アクセスネットワークエンティティに送信する。
【０１５７】
選択可能に、前記プロセッサ１８００は、前記ＴＡＵ要求が付帯される非アクセス層ＮＡＳメッセージを前記アクセスネットワークエンティティから受信し、前記目標ＴＡＩ  ｌｉｓｔが付帯されるＮＡＳメッセージを前記アクセスネットワークエンティティに送信する。
【０１５８】
本開示の実施例において、アクセスネットワークエンティティは、ＵＥから送信される位置エリア更新要求メッセージを受信し、前記アクセスネットワークエンティティから位置エリア更新メッセージを前記ＵＥに送信する。ここで、前記位置エリア更新メッセージは、少なくとも、前記アクセスネットワークエンティティが前記位置エリア更新要求メッセージに応じて更新した前記ＵＥのＲＮＡ情報である目標アクセスネットワーク通知エリアＲＮＡ情報を含む。このように、本開示のＵＥの位置エリアの更新方法によれば、ＴＡＵおよびＲＮＡ更新プロセスが協同的に実現され、シグナリングオーバヘッドが小さくなり、ＵＥの位置情報の効果的な管理に有利である。
【０１５９】
なお、本実施例における上記コアネットワークエンティティは、図１〜図６に示す実施例におけるコアネットワークエンティティであってもよい。図１〜図６に示す実施例におけるコアネットワークエンティティの任意の実施形態は、いずれも本実施例における上記コアネットワークエンティティによって実現され、同一の効果を奏することができ、ここでは繰り返して記載しない。
【０１６０】
本願で提供されるいくつかの実施例において、開示された方法および装置は、他の方式で実施され得ることを理解されたい。例えば、以上に記載された装置の実施例は、単なる例示である。例えば、ユニットの区分は、単に論理機能の区分であり、実際に実現する際に別の区分方式がある。例えば、複数のユニットまたはコンポーネントは、別のシステムに組み合わせられまたは一体化される。または、一部の特徴は、無視されてもよく、または実行されなくてもよい。また、示されておりまたは議論されている相互間の結合や直接結合や通信接続は、インタフェース、装置またはユニットを介した間接結合や通信接続であり、電気的、機械的、または他の形式である。
【０１６１】
また、本開示の各実施例における各機能的ユニットは、１つの処理部に一体化されていてもよいし、別々に設けられていてもよいし、２つ以上が一体化されてもよい。上述した一体化ユニットは、ハードウェアの形態、またはハードウェアとソフトウェア機能ユニットの形態で実施することができる。
【０１６２】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本発明の各実施例の方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１６３】
以上の記載は、本開示の選択可能な実施形態である。なお、当業者にとって、本開示に記載した原理を逸脱することなくいくつかの改良や修飾を行うこともできる。これらの改良や修飾も、本開示の保護範囲として見なされるべきである。
【図１】
2019537356.tif 000003
【図２】
2019537356.tif 000004
【図３】
2019537356.tif 000005
【図４】
2019537356.tif 000006
【図５】
2019537356.tif 000007
【図６】
2019537356.tif 000008
【図７】
2019537356.tif 000009
【図８】
2019537356.tif 000010
【図９】
2019537356.tif 000011
【図１０】
2019537356.tif 000012
【図１１】
2019537356.tif 000013
【図１２】
2019537356.tif 000014
【図１３】
2019537356.tif 000015
【図１４】
2019537356.tif 000016
【図１５】
2019537356.tif 000017
【図１６】
2019537356.tif 000018
【図１７】
2019537356.tif 000019
【図１８】
2019537356.tif 000020
【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
ユーザ端末ＵＥの位置エリアの更新方法において、
アクセスネットワークエンティティが、ＵＥから送信される位置エリア更新要求メッセージを受信することと、
前記アクセスネットワークエンティティが、位置エリア更新メッセージを前記ＵＥに送信することとを含み、
ここで、前記位置エリア更新メッセージは、少なくとも、前記アクセスネットワークエンティティが前記位置エリア更新要求メッセージに応じて更新した前記ＵＥのＲＮＡ情報である目標アクセスネットワーク通知エリアＲＮＡ情報を含むユーザ端末ＵＥの位置エリアの更新方法。
【請求項２】
前記アクセスネットワークエンティティが、前記位置エリア更新要求メッセージに基づいて、前記ＵＥのトラッキングエリア識別子リストＴＡＩ  ｌｉｓｔの更新が必要であるかを判断することをさらに含み、
前記アクセスネットワークエンティティが、位置エリア更新メッセージを前記ＵＥに送信することは、
前記ＵＥのＴＡＩ  ｌｉｓｔの更新が必要でなければ、前記アクセスネットワークエンティティが、前記位置エリア更新要求メッセージに基づいて、前記ＵＥのＲＮＡ情報を更新して目標ＲＮＡ情報を得ることと、
前記アクセスネットワークエンティティが、前記目標ＲＮＡ情報を含む位置エリア更新メッセージを前記ＵＥに送信することとを含み、
および／または、
前記アクセスネットワークエンティティが、位置エリア更新メッセージを前記ＵＥに送信することは、
前記ＵＥのＴＡＩ  ｌｉｓｔの更新が必要であれば、前記アクセスネットワークエンティティが、前記位置エリア更新要求メッセージに基づいて、トラッキングエリア更新ＴＡＵ要求をコアネットワークエンティティに送信することと、
前記アクセスネットワークエンティティが、前記コアネットワークエンティティにより前記ＴＡＵ要求に応じて更新した前記ＵＥのＴＡＩ  ｌｉｓｔである目標ＴＡＩ  ｌｉｓｔを前記コアネットワークエンティティから受信することと、
前記アクセスネットワークエンティティが、前記目標ＲＮＡ情報および前記目標ＴＡＩ  ｌｉｓｔを含む位置エリア更新メッセージを前記ＵＥに送信することとを含む請求項１に記載の方法。
【請求項３】
前記位置エリア更新要求メッセージにはＲＮＡ更新要求が付帯され、
前記アクセスネットワークエンティティが、前記位置エリア更新要求メッセージに基づいて、前記ＵＥのＴＡＩ  ｌｉｓｔの更新が必要であるかを判断することは、
前記アクセスネットワークエンティティが、前記ＲＮＡ更新要求の中の目標セルを取得することと、
前記アクセスネットワークエンティティが、前記目標セルに対応する識別子が事前に取得した前記ＵＥのＴＡＩ  ｌｉｓｔに含まれるかを判断することと、
前記目標セルに対応する識別子が前記ＴＡＩ  ｌｉｓｔに含まれるのであれば、前記アクセスネットワークエンティティが、前記ＵＥのＴＡＩ  ｌｉｓｔの更新が必要ではないと特定することと、
前記目標セルに対応する識別子が前記ＴＡＩ  ｌｉｓｔに含まれないのであれば、前記アクセスネットワークエンティティが、前記ＵＥのＴＡＩ  ｌｉｓｔの更新が必要であると特定することとを含む請求項２に記載の方法。
【請求項４】
前記位置エリア更新要求メッセージにはＲＮＡ更新要求およびトラッキングエリア更新ＴＡＵ要求が付帯され、
前記アクセスネットワークエンティティが、前記位置エリア更新要求メッセージから前記ＴＡＵ要求を分離し、前記ＴＡＵ要求をコアネットワークエンティティに送信することと、
前記アクセスネットワークエンティティが、前記コアネットワークエンティティにより更新された前記ＵＥのＴＡＩ  ｌｉｓｔである目標ＴＡＩ  ｌｉｓｔを前記コアネットワークエンティティから受信することとをさらに含み、
前記アクセスネットワークエンティティが、位置エリア更新メッセージを前記ＵＥに送信することは、
前記アクセスネットワークエンティティが、前記目標ＲＮＡ情報および前記目標ＴＡＩ  ｌｉｓｔが含まれる位置エリア更新メッセージを前記ＵＥに送信することを含む請求項１に記載の方法。
【請求項５】
前記ＲＮＡ更新要求のＲＲＣメッセージおよび前記ＴＡＵ要求の非アクセス層ＮＡＳメッセージは、前記位置エリア更新要求メッセージにカプセル化され、
前記アクセスネットワークエンティティが、前記位置エリア更新要求メッセージから前記ＴＡＵ要求を分離し、前記ＴＡＵ要求をコアネットワークエンティティに送信することは、
前記アクセスネットワークエンティティが、前記位置エリア更新要求メッセージから前記ＴＡＵ要求が付帯されるＮＡＳメッセージを分離し、前記ＮＡＳメッセージを前記コアネットワークエンティティに転送することを含み、
前記アクセスネットワークエンティティが、目標ＴＡＩ  ｌｉｓｔを前記コアネットワークエンティティから受信することは、
前記アクセスネットワークエンティティが、目標ＴＡＩ  ｌｉｓｔが付帯されるＮＡＳメッセージを前記コアネットワークエンティティから受信することを含み、
前記アクセスネットワークエンティティが、目標ＲＮＡ情報および目標ＴＡＩ  ｌｉｓｔが含まれる位置エリア更新メッセージを前記ＵＥに送信することは、
前記アクセスネットワークエンティティが、前記目標ＲＮＡ情報が付帯されるＲＲＣメッセージおよび前記目標ＴＡＩ  ｌｉｓｔが付帯されるＮＡＳメッセージを前記ＵＥに送信することを含み、
または、
前記ＲＮＡ更新要求のＲＲＣメッセージおよび前記ＴＡＵ要求のＲＲＣメッセージは、前記位置エリア更新要求メッセージにカプセル化され、
前記アクセスネットワークエンティティが、前記位置エリア更新要求メッセージから前記ＴＡＵ要求を分離し、前記ＴＡＵ要求をコアネットワークエンティティに送信することは、
前記アクセスネットワークエンティティが、前記ＴＡＵ要求のＲＲＣメッセージを解析し、前記ＴＡＵ要求が付帯される制御プレーンメッセージまたはユーザプレーンメッセージをコアネットワークエンティティに送信することを含み、
前記アクセスネットワークエンティティが、目標ＴＡＩ  ｌｉｓｔを前記コアネットワークエンティティから受信することは、
前記アクセスネットワークエンティティが、目標ＴＡＩ  ｌｉｓｔが付帯される制御プレーンメッセージまたはユーザプレーンメッセージを前記コアネットワークエンティティから受信することを含み、
前記アクセスネットワークエンティティが、目標ＲＮＡ情報および目標ＴＡＩ  ｌｉｓｔが含まれる位置エリア更新メッセージを前記ＵＥに送信することは、
前記アクセスネットワークエンティティが、目標ＲＮＡ情報が付帯されるＲＲＣメッセージおよび前記目標ＴＡＩ  ｌｉｓｔが付帯されるＲＲＣメッセージを前記ＵＥに送信することを含む請求項４に記載の方法。
【請求項６】
前記アクセスネットワークエンティティが、前記目標ＴＡＩ  ｌｉｓｔに基づいて、前記ＵＥのＲＮＡを更新して目標ＲＮＡ情報を得ることをさらに含み、
ここで、前記目標ＴＡＩ  ｌｉｓｔは、前記目標ＲＮＡ情報の中のすべてのセルに対応する識別子を含み、および／または、前記目標ＲＮＡ情報は、前記目標ＴＡＩ  ｌｉｓｔの中のすべての識別子に対応するセルを含む請求項２または４に記載の方法。
【請求項７】
ユーザ端末ＵＥの位置エリアの更新方法において、
ＵＥからアクセスネットワークエンティティに位置エリア更新要求メッセージを送信することと、
前記ＵＥが、前記アクセスネットワークエンティティから送信される位置エリア更新メッセージを受信することとを含み、
ここで、前記位置エリア更新メッセージは、少なくとも、前記アクセスネットワークエンティティが前記位置エリア更新要求メッセージに応じて更新した前記ＵＥのＲＮＡ情報である目標アクセスネットワーク通知エリアＲＮＡ情報を含むユーザ端末ＵＥの位置エリアの更新方法。
【請求項８】
前記位置エリア更新要求メッセージにはアクセスネットワーク通知エリアＲＮＡ更新要求が付帯され、
前記位置エリア更新メッセージには前記目標ＲＮＡ情報が付帯され、
または、前記位置エリア更新メッセージには、前記目標ＲＮＡ情報、および、コアネットワークエンティティにより更新された前記ＵＥのＴＡＩ  ｌｉｓｔである目標ＴＡＩ  ｌｉｓｔが付帯される請求項７に記載の方法。
【請求項９】
前記ＵＥが、前記ＵＥの現在の状態を取得することと、
前記ＵＥが現在インアクティブ状態であれば、前記ＵＥが、トラッキングエリア更新ＴＡＵ要求をトリガーせず、ＲＮＡ更新要求が付帯される位置エリア更新要求メッセージをアクセスネットワークエンティティに送信することとをさらに含み、
および／または、
前記ＲＮＡ更新要求の無線リソース制御ＲＲＣメッセージは、前記位置エリア更新要求メッセージにカプセル化され、前記目標ＲＮＡ情報のＲＲＣメッセージは、前記位置エリア更新メッセージにカプセル化され、または、前記目標ＲＮＡ情報のＲＲＣメッセージおよび前記目標ＴＡＩ  ｌｉｓｔのＲＲＣメッセージは、前記位置エリア更新メッセージにカプセル化される請求項１１または１２に記載の方法。
【請求項１０】
前記位置エリア更新要求メッセージにはＲＮＡ更新要求およびトラッキング更新ＴＡＵ要求が付帯され、
前記位置エリア更新メッセージには、前記目標ＲＮＡ情報、および、コアネットワークエンティティにより更新された前記ＵＥのＴＡＩ  ｌｉｓｔである目標ＴＡＩ  ｌｉｓｔが付帯される請求項７に記載の方法。
【請求項１１】
ユーザ端末ＵＥの位置エリアの更新方法において、
コアネットワークエンティティが、ＵＥのＵＥ識別子が付帯されるトラッキングエリア更新ＴＡＵ要求をアクセスネットワークエンティティから受信することと、
前記コアネットワークエンティティが、前記ＴＡＵ要求に応じて、前記ＵＥのトラッキングエリア識別子リストＴＡＩ  ｌｉｓｔを更新して目標ＴＡＩ  ｌｉｓｔを得ることと、
前記コアネットワークエンティティが、前記目標ＴＡＩ  ｌｉｓｔを前記アクセスネットワークエンティティに送信することとを含むユーザ端末ＵＥの位置エリアの更新方法。
【請求項１２】
アクセスネットワークエンティティであって、
ＵＥから送信される位置エリア更新要求メッセージを受信することに用いられる受信モジュールと、
位置エリア更新メッセージを前記ＵＥに送信することに用いられる送信モジュールとを含み、
ここで、前記位置エリア更新メッセージは、少なくとも、前記アクセスネットワークエンティティが前記位置エリア更新要求メッセージに応じて更新した前記ＵＥのＲＮＡ情報である目標アクセスネットワーク通知エリアＲＮＡ情報を含むアクセスネットワークエンティティ。
【請求項１３】
前記位置エリア更新要求メッセージに基づいて、前記ＵＥのトラッキングエリア識別子リストＴＡＩ  ｌｉｓｔの更新が必要であるかを判断することに用いられる判断モジュールをさらに含み、
前記送信モジュールは、
前記ＵＥのＴＡＩ  ｌｉｓｔの更新が必要でなければ、前記アクセスネットワークエンティティが前記位置エリア更新要求メッセージに基づいて前記ＵＥのＲＮＡ情報を更新して目標ＲＮＡ情報を得ることに用いられる第１更新ユニットと、
前記目標ＲＮＡ情報を含む位置エリア更新メッセージを前記ＵＥに送信することに用いられる第１送信ユニットとを含み、
および／または、
前記送信モジュールは、
前記ＵＥのＴＡＩ  ｌｉｓｔの更新が必要であれば、前記位置エリア更新要求メッセージに基づいて、トラッキングエリア更新ＴＡＵ要求をコアネットワークエンティティに送信することに用いられる第２送信ユニットと、
前記コアネットワークエンティティにより前記ＴＡＵ要求に応じて更新した前記ＵＥのＴＡＩ  ｌｉｓｔである目標ＴＡＩ  ｌｉｓｔを前記コアネットワークエンティティから受信することに用いられる第１受信ユニットと、
前記目標ＲＮＡ情報および前記目標ＴＡＩ  ｌｉｓｔを含む位置エリア更新メッセージを前記ＵＥに送信することに用いられる第３送信ユニットとを含む請求項１２に記載のアクセスネットワークエンティティ。
【請求項１４】
アクセスネットワークエンティティに位置エリア更新要求メッセージを送信することに用いられる送信モジュールと、
前記アクセスネットワークエンティティから送信される位置エリア更新メッセージを受信することに用いられる受信モジュールとを含み、
ここで、前記位置エリア更新メッセージは、少なくとも、前記アクセスネットワークエンティティが前記位置エリア更新要求メッセージに応じて更新した前記ＵＥのＲＮＡ情報である目標アクセスネットワーク通知エリアＲＮＡ情報を含むユーザ端末ＵＥ。
【請求項１５】
ＵＥのＵＥ識別子が付帯されるトラッキングエリア更新ＴＡＵ要求をアクセスネットワークエンティティから受信することに用いられる受信モジュールと、
前記ＴＡＵ要求に応じて、前記ＵＥのトラッキングエリア識別子リストＴＡＩ  ｌｉｓｔを更新して目標ＴＡＩ  ｌｉｓｔを得ることに用いられる更新モジュールと、
前記目標ＴＡＩ  ｌｉｓｔを前記アクセスネットワークエンティティに送信することに用いられる送信モジュールとを含むコアネットワークエンティティ。
【国際調査報告】
2019537356.tif 000021
2019537356.tif 000022
2019537356.tif 000023
2019537356.tif 000024